(57)【要約】【課題】住宅や室、乗り物、収納器具などのセキュリティ性を高め、鍵装置の複数人による共同使用などを低コストで実現し、鍵装置・錠装置間の通信時間を短くすることにより鍵錠システムの操作性・利便性を高める。【解決手段】バイオメトリクス認証無線鍵錠システム１は鍵装置５および錠装置６を備えている。鍵装置５は、指から指紋情報を取得し、指紋の特徴点を示す照合用特徴情報を生成し、この照合用特徴情報を暗号化して錠装置６に無線通信方式により送信する。錠装置６は、鍵装置５から送信された照合用特徴情報を受信し、これを復号し、この復号された照合用特徴情報と、予め記憶された登録用特徴情報とを照合し、照合用特徴情報と登録用特徴情報とが所定の同一性基準を満たした場合に電気錠３を解錠する。また、錠装置６は制御装置７と管理装置８とに分割されている。【選択図】図１
2008266907.tif 000002
【特許請求の範囲】
【請求項１】
鍵装置および錠装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、
前記特徴情報生成手段により生成された第１特徴情報を無線通信方式により送信する特徴情報送信手段とを備え、
前記錠装置は、
人体の特徴要素を示す第２特徴情報を記憶する特徴情報記憶手段と、
前記鍵装置から送信された第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えていることを特徴とする鍵錠システム。
【請求項２】
前記人体情報は人体の一部を示す画像情報であり、
前記特徴情報生成手段は、前記人体情報取得手段により取得された画像情報から前記人体の特徴要素を抽出し、当該抽出した人体の特徴要素を示しかつ前記画像情報のサイズよりも小さいサイズを有する第１特徴情報を生成することを特徴とする請求項１に記載の鍵錠システム。
【請求項３】
前記第１特徴情報のサイズは、前記人体情報のサイズの１００分の１以下であることを特徴とする請求項１に記載の鍵錠システム。
【請求項４】
前記鍵装置は、
前記錠装置から送信された暗号キーを受信する暗号キー受信手段と、
前記暗号キー受信手段により受信された暗号キーを用いて前記第１特徴情報を暗号化する暗号化手段とをさらに備え、
前記錠装置は、
前記暗号キーを生成し、前記暗号キーを無線通信方式により送信する暗号キー送信手段と、
前記暗号化手段により暗号化された前記第１特徴情報を復号する復号手段とをさらに備え、
前記暗号キー送信手段は、前記暗号キーを送信ごとに変化させることを特徴とする請求項１に記載の鍵錠システム。
【請求項５】
前記鍵装置は、
当該鍵装置を識別するための第１識別情報を無線通信方式により送信する識別情報送信手段をさらに備え、
前記錠装置は、
前記鍵装置を識別するための第２識別情報を記憶する識別情報記憶手段と、
前記鍵装置から送信された第１識別情報を受信する識別情報受信手段と、
前記識別情報受信手段により受信された第１識別情報と前記識別情報記憶手段により予め記憶された第２識別情報とが一致するか否かを判断する識別情報判断手段と、
前記識別情報判断手段による判断の結果、前記第１識別情報と前記第２識別情報とが一致しない場合には、前記制御信号出力手段による前記制御信号の出力が行われないようにする拒絶制御手段とをさらに備えていることを特徴とする請求項１に記載の鍵錠システム。
【請求項６】
前記錠装置は制御装置および管理装置を備え、
前記制御装置は前記特徴情報受信手段、特徴情報転送手段および前記制御信号出力手段を備え、
前記管理装置は前記特徴情報記憶手段、前記照合手段および制御指令転送手段を備え、
前記特徴情報転送手段は、前記特徴情報受信手段により受信された第１特徴情報を前記制御装置から前記管理装置に転送し、
前記照合手段は、前記特徴情報転送手段により転送された第１特徴情報と、前記特徴情報記憶手段に予め記憶された第２特徴情報とを照合し、
前記制御指令転送手段は、前記照合手段による照合の結果、前記第１特徴情報と前記第２特徴情報とが所定の同一性基準を満たす場合に、前記被制御装置に前記特定動作を行わせるための制御指令を前記制御装置に転送し、
前記制御信号出力手段は、前記制御指令転送手段により転送された前記制御指令に基づいて、前記制御信号を前記被制御装置に出力することを特徴とする請求項１に記載の鍵錠システム。
【請求項７】
前記鍵装置は、
当該鍵装置を識別するための第１識別情報を無線通信方式により送信する識別情報送信手段をさらに備え、
前記制御装置は、
前記鍵装置から送信された第１識別情報を受信する識別情報受信手段と、
前記識別情報受信手段により受信された第１識別情報を前記管理装置に転送する識別情報転送手段とをさらに備え、
前記管理装置は、
前記鍵装置を識別するための第２識別情報を記憶する識別情報記憶手段と、
前記識別情報転送手段により転送された第１識別情報と前記識別情報記憶手段により予め記憶された第２識別情報とが一致するか否かを判断する識別情報判断手段とをさらに備え、
前記制御装置または前記管理装置は、
前記識別情報判断手段による判断の結果、前記第１識別情報と前記第２識別情報とが一致しない場合に、前記制御信号出力手段による前記制御信号の出力が行われないようにする拒絶制御手段をさらに備えていることを特徴とする請求項６に記載の鍵錠システム。
【請求項８】
前記制御装置は、当該制御装置を識別するための第３識別情報を有することを特徴とする請求項６に記載の鍵錠システム。
【請求項９】
人体の特徴要素を示す特徴情報を錠装置に送信することにより、前記錠装置の制御対象である被制御装置の動作を制御する鍵装置であって、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズよりも小さいサイズを有する特徴情報を生成する特徴情報生成手段と、
前記特徴情報生成手段により生成された特徴情報を無線通信方式により送信する特徴情報送信手段とを備えていることを特徴とする鍵装置。
【請求項１０】
鍵装置から無線通信方式により送信され人体の特徴要素を示す第１特徴情報を受信し、前記第１特徴情報の受信に基づいて被制御装置の動作を制御する錠装置であって、
人体の特徴要素を示す第２特徴情報を記憶する特徴情報記憶手段と、
前記鍵装置から送信された前記第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、前記被制御装置に特定動作を行わせるための制御信号を前記被制御装置に出力する制御信号出力手段とを備えていることを特徴とする錠装置。
【請求項１１】
鍵装置および管理装置と共に被制御装置の動作を制御するための制御装置であって、
前記鍵装置から送信され人体の特徴要素を示す第１特徴情報を受信する特徴情報受信手段と、
前記特徴情報受信手段により受信された第１特徴情報を前記管理装置に転送する特徴情報転送手段と、
前記管理装置において行われる照合処理により前記第１特徴情報と第２特徴情報とが所定の同一性基準を満たす場合に前記管理装置から転送される制御指令に基づいて、前記被制御装置に特定動作を行わせるための制御信号を前記被制御装置に出力する制御信号出力手段とを備えていることを特徴とする制御装置。
【請求項１２】
鍵装置および錠装置を用いることにより、被制御装置の特定動作の実行を特定人以外の者には許可しないように前記被制御装置の特定動作を制御する特定動作制御方法であって、
人体の特徴要素を含む人体情報を前記人体から取得する人体情報取得工程と、
前記人体情報取得工程において取得された人体情報から前記人体の特徴要素を抽出し、前記抽出した人体の特徴要素を示しかつ前記人体情報のサイズよりも小さいサイズを有する第１特徴情報を生成する特徴情報生成工程と、
前記特徴情報生成工程において生成された第１特徴情報を無線通信方式により送信する特徴情報送信工程と、
前記特徴情報送信工程において送信された第１特徴情報を受信する特徴情報受信工程と、
前記特徴情報受信工程において受信された第１特徴情報と、記憶手段に予め記憶され人体の特徴要素を示す第２特徴情報とを照合する照合工程と、
前記照合工程における照合の結果、前記第１特徴情報と前記第２特徴情報とが所定の同一性基準を満たす場合には、前記被制御装置に特定動作を行わせるための制御信号を前記被制御装置に出力する制御信号出力工程とを備え、
前記人体情報取得工程、前記特徴情報生成工程および前記特徴情報送信工程を鍵装置により実行させ、前記特徴情報受信工程、前記照合工程および前記制御信号出力工程を前記記憶手段を備えた前記錠装置により実行させることを特徴とする特定動作制御方法。
【発明の詳細な説明】
【技術分野】
【０００１】
本発明は、バイオメトリクス認証、および鍵装置と錠装置との間の無線通信により、扉の錠の開閉、自動車エンジンの始動、医療機器の操作、コンピュータの起動、コンピュータシステムへのログイン、ファクトリーオートメーションシステムの操作その他機器、装置またはシステムなどの動作を制御する鍵錠システムに関する。
【背景技術】
【０００２】
一般に、ビルや住宅、室、乗り物のセキュリティ、コンピュータシステムの使用制限、または秘密保持などのために鍵および錠が用いられる。
【０００３】
扉用の錠として広く普及しているシリンダ錠の場合、鍵を所持する者は、鍵を錠の鍵穴に差し込み、鍵と錠とが一致したときに限り、鍵を回して解錠することができる。これにより、ビルや住宅のセキュリティなどを確保することができる。
【０００４】
しかし、鍵と錠との形状的または機構的な一致により解錠を行う鍵および錠の場合、鍵を所持する者であれば誰でも解錠することができる。このため、住宅の居住者やコンピュータシステムの管理者は、鍵を盗まれないように慎重に管理しなければならない。また、ピッキングによる不正解錠に対処する必要がある。
【０００５】
一方、近年、バイオメトリクス認証装置と電気錠とを組み合わせたシステム錠が普及しつつある。指紋認証を利用した扉用のシステム錠の場合、指紋センサを搭載した指紋認証装置を扉近傍に設置し、指紋認証装置と電気錠とをリード線やケーブルなどの電線を用いて接続する。解錠を望む者は、自分の指紋を指紋センサにより読み取らせる。指紋認証装置は、指紋センサにより読み取られた指紋の情報と、指紋認証装置に予め登録された指紋の情報とが一致した場合に限り、解錠する。このようなシステム錠によれば、指紋を登録した者でなければ解錠することができない。また、鍵を使わないため、鍵の管理が不要になる。さらに、ピッキングによる不正解錠を防止することができる。
【０００６】
しかし、指紋認証装置が十分な耐久性を備えていない場合には、指紋認証装置の屋外設置が制限される。例えば、指紋認証装置を住宅のエントランス内などに設置しなければならない。一方、指紋認証装置に十分な耐久性を備えさせるとすれば、指紋認証装置の製造コストが高くなる。
【０００７】
他方、鍵装置と錠装置との間で無線通信を行うことにより、扉などの解錠を行う無線鍵錠システムが知られている。自動車の扉の無線鍵錠システムの場合、自動車の利用者は、鍵装置の把持部に設けられたボタンを押す。これにより、鍵装置から、自動車に設けられた錠装置へ電波または赤外線が発信される。電波や赤外線にはＩＤ情報や解錠制御信号が含まれており、このＩＤ情報や解錠制御信号が正しいものである場合に限り、錠装置が、扉に設けられた電気錠を開ける。このような無線鍵錠システムによれば、鍵を鍵穴に差し込む必要がないため、暗闇の中での解錠を簡単に行うことができる。また、ピッキングによる不正解錠を防止することができる。
【０００８】
しかし、鍵装置を所持する者であれば誰でも解錠することができるため、自動車の所有者は鍵装置の管理を慎重に行わなければならない。
【０００９】
他方、バイオメトリクス認証と、鍵・錠間の無線通信とを組み合わせたバイオメトリクス認証無線鍵錠システムが知られている。
【００１０】
例えば、特開２００２−８１２４２号公報（第３頁、第２列、第２３行から第２９行まで）または特開２００３−２８６７８１号公報（第３頁、第１列、第２６行から第３１行まで）に記載されたバイオメトリクス認証無線鍵錠システム（以下、「従来システムＡ」という。）では、鍵装置で指紋の読み取りおよび指紋の照合を行い、照合の結果、指紋が一致したときに、鍵装置内の記憶部に記憶されたＩＤ番号を鍵装置から錠装置へ送信する。そして、錠装置は、このＩＤ番号を受信し、解錠する。
【００１１】
また、特開平１１−９３４７８号公報（第３頁、第１列、第４８行から同頁、第２列、第１９行まで）または特開２００１−２６２８８７号公報（第３頁、第２列、第２４行から第４頁、第１列、第６行まで）に記載されたバイオメトリクス認証無線鍵錠システム（以下、「従来システムＢ」という。）では、鍵装置で指紋を読み取り、指紋の画像情報を鍵装置から錠装置へ送信する。そして、錠装置において、受信した指紋の画像情報から指紋などの特徴点を抽出し、抽出した特徴点と予め登録された特徴点とを照合し、両者が一致したときに解錠などを行う。
【００１２】
また、特開平５−２３３８９６号公報（第４頁、第１列、第３４行から同頁、第２列、第４行目まで）に記載されたバイオメトリクス認証無線鍵錠システム（以下、「従来システムＣ」という。）では、鍵装置で、指紋から指の特徴を読み取り、特徴情報を錠装置へ送信する。そして、錠装置において、受信した特徴情報と、予め記憶された特徴情報とを比較し、受信した特徴情報が正常の場合には、扉を開ける。
【００１３】
このようなバイオメトリクス認証無線鍵錠システムによれば、指紋認証を利用しているため、鍵の盗難またはピッキングによる不正解錠を防止することができる。また、錠装置には、指紋センサを設ける必要がないため、耐久性の高い錠装置を低コストで製造することができ、この結果、錠装置を屋外の様々な場所に設置することが可能になる。例えば、雨風が当たるような場所でも、錠装置を設置することが可能になる。
【００１４】
【特許文献１】特開２００２−８１２４２号公報
【特許文献２】特開２００３−２８６７８１号公報
【特許文献３】特開平１１−９３４７８号公報
【特許文献４】特開２００１−２６２８８７号公報
【特許文献５】特開平５−２３３８９６号公報
【発明の開示】
【発明が解決しようとする課題】
【００１５】
ところが、上記文献に記載されたバイオメトリクス認証無線鍵錠システムには次のような問題点がある。
【００１６】
すなわち、従来システムＡでは、鍵装置から錠装置へＩＤ番号を送信する。このため、鍵装置が盗まれ、鍵装置内の記憶部に記憶されたＩＤ番号が不正な方法で読み取られ、このＩＤ番号を送信する偽の鍵装置が作られ、この偽の鍵装置によって不正解錠が行われる危険がある。それゆえ、従来システムＡでは、セキュリティ性を高めることが難しい。
【００１７】
また、従来システムＡでは、指紋センサなどで読み取られた指紋情報と、予め登録された指紋情報との照合を鍵装置内で行う。このため、指紋情報を鍵装置内の記憶部に保持している。このような鍵装置を複数人で共同使用する場合を考えると、鍵装置内の記憶部に複数の指紋情報を保持しておかなければならず、これを実現するためには、鍵装置内に大容量の記憶部を設けなければならない。それゆえ、従来システムＡでは、鍵装置のサイズが大きくなり、消費電力が増え、または製造コストが高くなる。
【００１８】
一方、従来システムＢまたは従来システムＣでは、鍵装置から錠装置へ指紋の画像情報または特徴情報を送信する。このため、画像情報または特徴情報のデータサイズが大きい場合には、送信処理に時間がかかる。それゆえ、鍵錠システムの利用者が扉の解錠などを迅速に行うことができず、鍵錠システムの操作性または利便性が悪い。また、画像情報または特徴情報のデータサイズが大きい場合には、画像情報または特徴情報の送信に必要な電力が大きい。
【００１９】
また、特開平１１−９３４７８号公報に記載されたバイオメトリクス認証無線鍵錠システムまたは従来システムＣでは、鍵装置から錠装置へ指紋の画像情報または特徴情報を送信する。このため、鍵錠システムの使用途中に、送信中の指紋の画像情報または特徴情報が不正に傍受され、この傍受された指紋の画像情報または特徴情報を用いて不正解錠が行われる危険がある。一方、特開２００１−２６２８８７号公報には、指紋の画像情報を暗号化して送信する旨が記載されているが、指紋の画像情報を単に暗号化しただけでは、不正解錠の危険を取り除くことができない。なぜなら、暗号化された指紋の画像情報を送信中に傍受し、その暗号化された指紋の画像情報をそのまま用いて不正解錠を行うことが可能だからである。つまり、指紋の画像情報の暗号化を個人のプライバシー保護の観点から行う場合があるが、このような趣旨の暗号化では不正解錠の危険をなくすことはできない。
【００２０】
本発明は上記に例示したような問題点に鑑みなされたものであり、本発明の第１の課題は、鍵装置から錠装置へ送信する情報の不正な読み取りに基づく不正解錠や被制御装置の不正使用などを防止することができる鍵錠システム、鍵装置、錠装置、制御装置および特定動作制御方法を提供することにある。
【００２１】
本発明の第２の課題は、複数人による鍵装置の共同使用を実現にする場合でも、鍵装置のサイズを小さくでき、消費電力を減らすことができ、または鍵装置の製造コストを下げることができる鍵錠システム、鍵装置、錠装置、制御装置および特定動作制御方法を提供することにある。
【００２２】
本発明の第３の課題は、解錠や被制御装置の制御などのために鍵装置から錠装置へ情報を送信するのにかかる時間を短くすることができ、またはこの情報の送信を少ない電力で行うことができる鍵錠システム、鍵装置、錠装置、制御装置および特定動作制御方法を提供することにある。
【課題を解決するための手段】
【００２３】
上記課題を解決するために、第１の発明は、鍵装置および錠装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、前記特徴情報生成手段により生成された第１特徴情報を無線通信方式により送信する特徴情報送信手段とを備え、前記錠装置は、人体の特徴要素を示す第２特徴情報を記憶する特徴情報記憶手段と、前記鍵装置から送信された第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えている。
【００２４】
前記人体情報が人体の一部を示す画像情報である場合には、前記特徴情報生成手段は、前記人体情報取得手段により取得された画像情報から前記人体の特徴要素を抽出し、当該抽出した人体の特徴要素を示しかつ前記画像情報のサイズよりも小さいサイズを有する第１特徴情報を生成することが望ましい。
【００２５】
また、前記第１特徴情報のサイズは、前記人体情報または前記画像情報のサイズの１００分の１以下であることが望ましい。
【００２６】
また、前記鍵装置には、前記錠装置から送信された暗号キーを受信する暗号キー受信手段と、前記暗号キー受信手段により受信された暗号キーを用いて前記第１特徴情報を暗号化する暗号化手段とを追加することが望ましい。この場合、前記錠装置には、前記暗号キーを生成し、前記暗号キーを無線通信方式により送信する暗号キー送信手段と、前記暗号化手段により暗号化された前記第１特徴情報を復号する復号手段とを追加し、前記暗号キー送信手段において前記暗号キーを送信ごとに変化させることが望ましい。
【００２７】
また、前記鍵装置には、当該鍵装置を識別するための第１識別情報を無線通信方式により送信する識別情報送信手段を追加することが望ましい。この場合、前記錠装置には、前記鍵装置を識別するための第２識別情報を記憶する識別情報記憶手段と、前記鍵装置から送信された第１識別情報を受信する識別情報受信手段と、前記識別情報受信手段により受信された第１識別情報と前記識別情報記憶手段により予め記憶された第２識別情報とが一致するか否かを判断する識別情報判断手段と、前記識別情報判断手段による判断の結果、前記第１識別情報と前記第２識別情報とが一致しない場合には、前記制御信号出力手段による前記制御信号の出力が行われないようにする拒絶制御手段とを追加することが望ましい。
【００２８】
一方、前記錠装置を制御装置と管理装置とに分割してもよい。この場合、前記制御装置は前記特徴情報受信手段、特徴情報転送手段および前記制御信号出力手段を備え、前記管理装置は前記特徴情報記憶手段、前記照合手段および制御指令転送手段を備える。そして、前記特徴情報転送手段は、前記特徴情報受信手段により受信された第１特徴情報を前記制御装置から前記管理装置に転送し、前記照合手段は、前記特徴情報転送手段により転送された第１特徴情報と、前記特徴情報記憶手段に予め記憶された第２特徴情報とを照合し、前記制御指令転送手段は、前記照合手段による照合の結果、前記第１特徴情報と前記第２特徴情報とが所定の同一性基準を満たす場合に、前記被制御装置に前記特定動作を行わせるための制御指令を前記制御装置に転送し、前記制御信号出力手段は、前記制御指令転送手段により転送された前記制御指令に基づいて、前記制御信号を前記被制御装置に出力する。
【００２９】
また、前記錠装置を制御装置と管理装置に分割する構成を備えた鍵錠システムにおいて、前記鍵装置には、当該鍵装置を識別するための第１識別情報を無線通信方式により送信する識別情報送信手段を追加することが望ましい。この場合、前記制御装置には、前記鍵装置から送信された第１識別情報を受信する識別情報受信手段と、前記識別情報受信手段により受信された第１識別情報を前記管理装置に転送する識別情報転送手段とを追加することが望ましく、さらに、前記管理装置には、前記鍵装置を識別するための第２識別情報を記憶する識別情報記憶手段と、前記識別情報転送手段により転送された第１識別情報と前記識別情報記憶手段により予め記憶された第２識別情報とが一致するか否かを判断する識別情報判断手段とを追加することが望ましい。さらに、前記制御装置または前記管理装置には、前記識別情報判断手段による判断の結果、前記第１識別情報と前記第２識別情報とが一致しない場合に、前記制御信号出力手段による前記制御信号の出力が行われないようにする拒絶制御手段を追加することが望ましい。
【００３０】
また、前記錠装置を制御装置と管理装置に分割する構成を備えた鍵錠システムにおいて、前記制御装置は、当該制御装置を識別するための第３識別情報を有することが望ましい。
【００３１】
上記課題を解決するために、第２の発明は、人体の特徴要素を示す特徴情報を錠装置に送信することにより、前記錠装置の制御対象である被制御装置の動作を制御する鍵装置であって、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する特徴情報を生成する特徴情報生成手段と、前記特徴情報生成手段により生成された特徴情報を無線通信方式により送信する特徴情報送信手段とを備えている。
【００３２】
上記課題を解決するために、第３の発明は、鍵装置から無線通信方式により送信され人体の特徴要素を示す第１特徴情報を受信し、前記第１特徴情報の受信に基づいて被制御装置の動作を制御する錠装置であって、人体の特徴要素を示す第２特徴情報を記憶する特徴情報記憶手段と、前記鍵装置から送信された前記第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、前記被制御装置に特定動作を行わせるための制御信号を前記被制御装置に出力する制御信号出力手段とを備えている。
【００３３】
上記課題を解決するために、第４の発明は、鍵装置および管理装置と共に被制御装置の動作を制御するための制御装置であって、前記鍵装置から送信され人体の特徴要素を示す第１特徴情報を受信する特徴情報受信手段と、前記特徴情報受信手段により受信された第１特徴情報を前記管理装置に転送する特徴情報転送手段と、前記管理装置において行われる照合処理により前記第１特徴情報と第２特徴情報とが所定の同一性基準を満たす場合に前記管理装置から転送される制御指令に基づいて、前記被制御装置に特定の動作を行わせるための制御信号を前記被制御装置に出力する制御信号出力手段とを備えている。
【００３４】
上記課題を解決するために、第５の発明は、鍵装置および錠装置とを用いることにより、被制御装置の特定動作の実行を特定人以外の者には許可しないように前記被制御装置の特定動作を制御する特定動作制御方法であって、人体の特徴要素を含む人体情報を前記人体から取得する人体情報取得工程と、前記人体情報取得工程において取得された人体情報から前記人体の特徴要素を抽出し、前記抽出した人体の特徴要素を示しかつ前記人体情報のサイズよりも小さいサイズを有する第１特徴情報を生成する特徴情報生成工程と、前記特徴情報生成工程において生成された第１特徴情報を無線通信方式により送信する特徴情報送信工程と、前記特徴情報送信工程において送信された第１特徴情報を受信する特徴情報受信工程と、前記特徴情報受信工程において受信された第１特徴情報と、記憶手段に予め記憶され人体の特徴要素を示す第２特徴情報とを照合する照合工程と、前記照合工程における照合の結果、前記第１特徴情報と前記第２特徴情報とが所定の同一性基準を満たす場合には、前記被制御装置に特定動作を行わせるための制御信号を前記被制御装置に出力する制御信号出力工程とを備え、前記人体情報取得工程、前記特徴情報生成工程および前記特徴情報送信工程を鍵装置により実行させ、前記特徴情報受信工程、前記照合工程および前記制御信号出力工程を前記記憶手段を備えた前記錠装置により実行させる。
【発明の効果】
【００３５】
上述した第１の発明である鍵錠システムでは、人体から人体情報を取得し、この人体情報に基づいて、人体の特徴要素を示す第１特徴情報を生成し、この第１特徴情報を鍵装置から錠装置へ送信する。そして、第１特徴情報は、錠装置において予め記憶された第２特徴情報と照合される。すなわち、真の利用者により鍵装置が使用される短い期間を除き、鍵装置内には第１特徴情報も第２特徴情報も保存されていない。これにより、たとえ鍵装置が盗まれたとしても、鍵装置からは第１特徴情報も第２特徴情報も読み取ることができない。したがって、扉が不正に解錠されたり、被制御装置が不正に使用されたりするのを防止することができ、セキュリティ性を高めることができる。
【００３６】
また、第１の発明である鍵錠システムでは、第１特徴情報と第２特徴情報の照合を錠装置側で行う。このため、第２特徴情報を錠装置内に保存する。それゆえ、鍵装置を複数人で共同使用する場合には、複数の第２特徴情報を錠装置内に保存すればよい。すなわち、第２特徴情報を鍵装置に保存する必要がないので、たとえ鍵装置を複数人で共同使用する場合でも、鍵装置に大容量の記憶部を設ける必要がない。これにより、鍵装置のサイズを小さくすることができ、消費電力を減らすことができ、鍵装置の製造コストを下げることができる。また、鍵装置を複数人で共同使用することが可能な鍵錠システムを容易にかつ低いコストで実現することができる。
【００３７】
また、第１の発明である鍵錠システムでは、鍵装置において、人体から取得した人体情報のサイズよりも小さいサイズを有する第１特徴情報を生成し、この第１特徴情報を錠装置へ送信する。これにより、第１特徴情報の送信時間を短くすることができ、鍵錠システムの操作性（レスポンス性）および利便性を高めることができる。さらに、第１特徴情報の送信に必要な電力を小さくすることができる。
【００３８】
また、第１の発明である鍵錠システムにおいて、人体情報が人体の一部を示す画像情報である場合には、人体の一部を示す画像情報のサイズよりも小さいサイズを有する第１特徴情報を生成する。これにより、第１特徴情報の送信時間を短くすることができ、第１特徴情報の送信に必要な電力を小さくすることができる。
【００３９】
また、第１の発明である鍵錠システムにおいて、第１特徴情報のサイズを、人体情報または画像情報のサイズの１００分の１以下にする。これにより、第１特徴情報の送信時間を短くすることができ、第１特徴情報の送信に必要な電力を小さくすることができる。
【００４０】
また、第１の発明である鍵錠システムにおいて、送信ごとに変化する暗号キーを錠装置から鍵装置に送信し、鍵装置において、この暗号キーを用いて第１特徴情報を暗号化し、この暗号化された第１特徴情報を鍵装置から錠装置に送信する。これにより、鍵錠システムの使用途中に、送信中の第１特徴情報が不正に傍受されても、その後、この傍受した第１特徴情報を用いて鍵錠システムを正常に作動させることはできない。したがって、不正解錠などを防止することができ、鍵錠システムのセキュリティ性を高めることができる。
【００４１】
また、第１の発明である鍵錠システムにおいて、鍵装置を識別するための第１識別情報を鍵装置から錠装置に送信し、錠装置において、予め記憶された第２識別情報と鍵装置から受信した第１識別情報とが一致しない場合には、扉の解錠や被制御装置の使用を許可しない。これにより、特定の扉の解錠や特定の被制御装置の動作制御を行うことができる鍵装置と錠装置との組み合わせを制限することがきる。例えば、複数の鍵装置Ｋ１、Ｋ２、Ｋ３と、１つの錠装置Ｌがある場合には、鍵装置Ｋ１と錠装置Ｌの組み合わせに限り、特定の扉の解錠を許可し、他の組み合わせでは、この特定の扉の解錠を拒絶することができる。したがって、鍵錠システムを用いて扉の解錠や被制御装置の使用をきめ細かく管理することができると共に、セキュリティ性を高めることができる。
【００４２】
また、第１の発明である鍵錠システムにおいて、錠装置を制御装置と管理装置とに分割し、第２特徴情報の保存および第１特徴情報と第２特徴情報との照合を、さらには第２識別情報の保存および第１識別情報と第２識別情報との照合を、管理装置により行う。一方、人体情報または人体の一部を示す画像情報の取得、および第１特徴情報の生成は、上述した通り鍵装置により行う。この結果、制御装置は、鍵装置から第１特徴情報を受信し、これを管理装置に転送する手段と、鍵装置から第１識別情報を受信し、これを管理装置に転送する手段と、管理装置からの制御指令に従って被制御装置を制御するための制御信号を出力する手段とを備えればよい。そして、制御装置に備えるべきこれらの手段はいずれも小規模な回路で実現することができる。したがって、例えば、制御装置を構成するすべての回路を１個の小さな基板上にまとめて配置することができる。または、制御装置を構成するほぼすべての回路を集積した１個のチップを製造することもできる。これにより、例えば、管理装置を室内の広い空間に設置し、制御装置だけを既存の電気錠に直接取り付けることができる。また、制御装置だけを既存の電気錠内に組み込むこともできる。このように、様々な扉、様々な錠、または様々な被制御装置に制御装置を簡単に設けることができ、鍵錠システムにより制御可能な被制御装置の範囲を広げることができ、鍵錠システムの汎用性を高めることができる。
【００４３】
また、錠装置を制御装置と管理装置とに分割する構成によれば、次のような効果が得られる。すなわち、１個の鍵装置を複数人で共同使用する場合、または複数の鍵装置を複数人でそれぞれ使用する場合、錠装置に記憶すべき第２特徴情報の個数または第２識別情報の個数が複数になる。このため、第２特徴情報または第２識別情報を記憶するための記憶手段の容量を大きくしなければならない。しかし、このような場合でも、第２特徴情報または第２識別情報を記憶するための記憶手段は、制御装置ではなく、管理装置にあるので、制御装置の規模が大きくなることがない。したがって、１個の鍵装置を複数人で共同使用する場合、または複数の鍵装置を複数人でそれぞれ使用する場合でも、鍵錠システムの高い汎用性を維持することができる。
【００４４】
また、錠装置を制御装置と管理装置とに分割し、これにより制御装置を小型化することができるので、１つの管理装置に対し複数の制御装置を設け、これら複数の制御装置により複数の被制御対象をそれぞれ制御するといった鍵錠システムを、容易にかつ低いコストで実現することができる。
【００４５】
また、錠装置を制御装置と管理装置とに分割し、制御装置には、当該制御装置を識別するための第３識別情報を与える。これにより、複数の制御装置が存在する場合には、個々の制御装置を第３識別情報に基づいて識別することが可能になる。例えば、１つの管理装置に対し複数の制御装置を設け、これら複数の制御装置により複数の被制御対象をそれぞれ独立に制御することが可能になる。したがって、室数の多い大きなビルの入出管理システムなど、大規模なシステムを構築することが可能になる。
【００４６】
第２の発明である鍵装置によれば、第１の発明である鍵錠システムの鍵装置と同様に、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。また、第１特徴情報の送信時間を短くすることができ、鍵錠システムの操作性（レスポンス性）および利便性を高めることができると共に、第１特徴情報の送信に必要な電力を小さくすることができる。
【００４７】
第３の発明である錠装置によれば、これを第２の発明である鍵装置と共に用いることにより、第１の発明である鍵錠システムと同様の効果を得ることができる。
【００４８】
第４の発明である制御装置によれば、これを、第１の発明である鍵錠システムを構成する鍵装置および管理装置と共に用いることにより、第１の発明である鍵錠システムと同様の効果を得ることができる。特に、錠装置を制御装置と管理装置とに分割することにより、制御装置を小型の基板上に、あるいは１個の集積回路素子として実現することができる。したがって、様々な扉、様々な錠、または様々な被制御装置に制御装置を簡単に装着し、あるいは組み込むことができ、鍵錠システムにより制御可能な被制御装置の範囲を広げることができ、鍵錠システムの汎用性を高めることができる。また、錠装置を制御装置と管理装置とに分割することにより、１個の鍵装置を複数人で共同使用する場合、または複数の鍵装置を複数人でそれぞれ使用する場合でも、鍵錠システムの高い汎用性を維持することができる。また、制御装置を小型化することができるので、１つの管理装置に対し複数の制御装置を設け、これら複数の制御装置により複数の被制御装置をそれぞれ制御するといった鍵錠システムを容易にかつ低いコストで実現することができる。
【００４９】
第５の発明である特定動作制御方法によれば、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。また、第１特徴情報の送信時間を短くすることができ、第１特徴情報の送信に必要な電力を小さくすることができる。
【発明を実施するための最良の形態】
【００５０】
以下、本発明の実施の形態について図面を参照しながら説明する。
【００５１】
図１は本発明のバイオメトリクス認証無線鍵錠システムの実施形態を示している。図２は図１中のバイオメトリクス認証無線鍵錠システム１の構成をブロック図により示している。
【００５２】
図１に示すように、バイオメトリクス認証無線鍵錠システム１は、扉２に設けられた電気錠３の解錠動作を制御することにより、室４への進入を制限し、管理する。
【００５３】
図２に示すように、バイオメトリクス認証無線鍵錠システム１は鍵装置５および錠装置６を備えている。鍵装置５は、指から指紋情報を取得し、指紋の特徴点を示す照合用特徴情報を生成し、この照合用特徴情報を錠装置６に無線通信方式により送信する。錠装置６は、鍵装置５から送信された照合用特徴情報を受信し、この照合用特徴情報と、予め記憶された登録用特徴情報とを照合し、照合用特徴情報と登録用特徴情報とが所定の同一性基準を満たした場合に電気錠３を解錠する。また、錠装置６は制御装置７と管理装置８とに分割されており、制御装置７と管理装置８とは互いにＬＡＮ（ローカルエリアネットワーク）９により接続されている。
【００５４】
図３は鍵装置５の外観を示している。図３に示すように、鍵装置５は、例えば掌に納まる程度の小さなサイズを有し、人が軽々と持ち上げて移動させることができる程度に軽量である。
【００５５】
図４は鍵装置５の内部構成を示している。図４に示すように、鍵装置５は、指紋情報取得部２１、特徴情報生成部２２、暗号化部２３、無線通信部２４、記憶部２５および内部制御部２６を備えている。指紋情報取得部２１、特徴情報生成部２２、暗号化部２３、無線通信部２４、記憶部２５および内部制御部２６はバスを介して相互に接続されている。また、無線通信部２４は、識別情報通信部３１、暗号キー受信部３２および特徴情報送信部３３を備えている。
【００５６】
指紋情報取得部２１は指から指紋情報を取得する。指紋情報取得部２１は例えば静電容量型の指紋センサである。指紋情報取得部２１は、鍵装置５の表面に指紋検出面２１Ａが配置されるように、鍵装置５に取り付けられている（図３参照）。指紋情報を取得するときには、鍵装置５の利用者がその指を指紋検出面２１Ａ上に乗せる。そして、指紋情報取得部２１が、指紋検出面２１Ａに接触している指の指紋を読み取る。
【００５７】
指紋情報取得部２１により取得される指紋情報は、指紋の画像情報である。より具体的には、この指紋情報は、指紋画像のビットマップデータである。例えば、指紋情報取得部２１の指紋検出面２１Ａの画素数が４８０００個であり、各画素の深さ方向のビット数が８ビットである場合、指紋情報は、４８０００バイトのビットマップデータである。
【００５８】
なお、指紋認証を行うのに適切な指紋検出面２１Ａの面積や画素数などを考慮すると、指紋情報のサイズはおよそ数キロバイト〜数百キロバイトとなる。例えば、指紋情報取得部２１として利用可能ないくつかのセンサの仕様と照らし合わせて具体的に検討したところ、指紋情報のサイズはおよそ９４００バイト〜２５００００バイトになることが判明している。
【００５９】
特徴情報生成部２２は、特徴情報登録処理において、指紋情報取得部２１により取得された指紋情報から指紋の特徴点を抽出し、この抽出した指紋の特徴点を示しかつ指紋情報のサイズよりも小さいサイズを有する登録用特徴情報（テンプレート）を生成する。また、特徴情報生成部２２は、解錠制御処理において、指紋情報取得部２１により取得された指紋情報から指紋の特徴点を抽出し、この抽出した指紋の特徴点を示しかつ指紋情報のサイズよりも小さいサイズを有する照合用特徴情報を生成する。特徴情報生成部２２は、例えば集積回路により構成されている。
【００６０】
特徴情報生成部２２は、指紋の特徴点を抽出する方式として、特徴点抽出方式（マニューシャ方式）を採用している。また、特徴情報生成部２２により生成される照合用特徴情報は、ビットマップデータなどの画像情報ではなく、指紋の特徴点を示す座標、近接する特徴点間の距離、または特徴点の分布パターンなどを数値により示したデータ（例えばベクトルデータ）である。
【００６１】
また、特徴情報生成部２２により生成される照合用特徴情報は、指紋情報取得部２１により取得された指紋情報のサイズよりも小さいサイズを有する。照合用特徴情報の好ましいサイズはおよそ１キロバイト未満であり、より好ましくはおよそ６００バイト未満である。また、照合用特徴情報のサイズは、指紋情報のサイズの１００分の１以下であることが望ましい。例えば、本実施形態における照合用特徴情報のサイズは、およそ１２８バイトである。本実施形態における指紋情報のサイズが４８０００バイトなので、本実施形態における照合用特徴情報のサイズは、指紋情報サイズの３７５分の１である。
【００６２】
特徴情報生成部２２により生成される登録用特徴情報の形式およびサイズも照合用特徴情報と同じである。
【００６３】
暗号化部２３は、解錠制御処理において、特徴情報生成部２２により生成された照合用特徴情報を、制御装置７から送信された暗号キーを用いて暗号化する。暗号化部２３は例えば集積回路などにより構成されている。
【００６４】
識別情報通信部３１は、識別情報登録処理において、鍵装置５を識別するためのチェック用識別情報を管理装置８から受信する。また、識別情報通信部３１は、解錠制御処理において、チェック用識別情報を無線通信方式により制御装置７へ送信する。
【００６５】
暗号キー受信部３２は、解錠制御処理において、制御装置７から送信された暗号キーを受信する。
【００６６】
特徴情報送信部３３は、特徴情報登録処理において、特徴情報生成部２２により生成された登録用特徴情報を管理装置８へ送信する。また、特徴情報送信部３３は、解錠制御処理において、特徴情報生成部２２により生成され、暗号化部２３により暗号化された照合用特徴情報（解錠承認要求信号）を無線通信方式により制御装置７へ送信する。
【００６７】
識別情報通信部３１、暗号キー受信部３２および特徴情報送信部３３は例えば無線通信回路などにより構成されている。
【００６８】
記憶部２５は鍵装置５のチェック用識別情報を記憶する。また、記憶部２５は、鍵装置５により電気錠３を解錠するとき、指紋情報取得部２１により取得された指紋情報、特徴情報生成部２２により生成された照合用特徴情報、および錠装置６から送信された暗号キーを一時的に記憶する。チェック用識別情報は、鍵装置５の電源が切られた後も記憶部２５に保持される。一方、指紋情報、照合用特徴情報および暗号キーは、鍵装置５の電源が切られた後は記憶部２５から消える。記憶部２５には例えばフラッシュメモリなどの書換可能な不揮発性のメモリを用いる。なお、記憶部２５を書換可能不揮発性メモリと、ＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  Ｒａｎｄｏｍ  Ａｃｃｅｓｓ  Ｍｅｍｏｒｙ）などの揮発性メモリとから構成し、書換可能不揮発性メモリにはチェック用識別情報を記憶し、揮発性メモリには指紋情報、照合用特徴情報および暗号キーを記憶してもよい。
【００６９】
内部制御部２６は、鍵装置５の全体的な制御を行う。内部制御部２６は例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭなどから構成されている。ＲＯＭには鍵装置５の全体的な制御を行うプログラムが記憶されており、ＣＰＵはこのプログラムをＲＯＭから読み出して実行する。ＣＰＵがプログラムを実行するときの作業エリアとしてＲＡＭが用いられる。また、内部制御部２６のＲＯＭには初期識別情報が予め記憶されている。初期識別情報は、例えば鍵装置５固有の識別番号であり、鍵装置５の製造工程において与えられる。
【００７０】
図５は本発明の鍵装置の具体的な実施例を示している。図５に示すように、鍵装置１００は、指紋センサ１０１、指紋認証回路１０２、無線通信回路１０３、フラッシュメモリ１０４、ＣＰＵ１０５、ＲＯＭ１０６およびＲＡＭ１０７を備えている。鍵装置１００は図４中の鍵装置５の具体例に当たる。すなわち、指紋センサ１０１は指紋情報取得部２１の具体例であり、指紋認証回路１０２は特徴情報生成部２２の具体例であり、無線通信回路１０３は無線通信部２４の具体例であり、フラッシュメモリ１０４は記憶部２５の具体例であり、ＣＰＵ１０５、ＲＯＭ１０６およびＲＡＭ１０７は暗号化部２３および内部制御部２６の具体例である。
【００７１】
図６は錠装置６の構成を示している。図６に示すように、錠装置６は制御装置７および管理装置８を備えており、制御装置７と管理装置８との間はＬＡＮ９により接続されている。
【００７２】
制御装置７は、無線通信部４１、有線通信部４２、制御信号出力部４３、情報処理部４４、識別情報記憶部４５および内部制御部４６を備えている。これらの構成要素４１ないし４６はバスを介して相互に接続されている。また、制御装置７は、その構成要素４１ないし４６などを小型の基板上に配置することにより構成されている。なお、構成要素４１ないし４６などを搭載した１チップの集積回路により制御装置７を構成してもよい。また、制御装置７は、電気錠３に取り付けられ、または電気錠３の内部に組み込まれ、あるいは電気錠３の近傍に取り付けられている（図１参照）。
【００７３】
無線通信部４１は識別情報受信部４７、暗号キー送信部４８および特徴情報受信部４９を備えている。識別情報受信部４７は、解錠制御処理において、鍵装置５から送信された鍵装置５のチェック用識別情報を受信する。暗号キー送信部４８は、解錠制御処理において、情報処理部４４により生成された暗号キーを無線通信方式により鍵装置５へ送信する。特徴情報受信部４９は、解錠制御処理において、鍵装置５から送信された照合用特徴情報（解錠承認要求信号）を受信する。無線通信部４１は例えば無線通信回路などにより構成されている。
【００７４】
有線通信部４２は、識別情報登録処理において、識別情報記憶部４５に記憶された制御装置識別情報を管理装置８にＬＡＮ９を介して送信する。また、有線通信部４２は、解錠制御処理において、識別情報受信部４７により受信されたチェック用識別情報を管理装置８にＬＡＮ９を介して転送する。また、有線通信部４２は、解錠制御処理において、比較結果信号が管理装置８から転送されたとき、この比較結果信号を受け取る。また、有線通信部４２は、解錠制御処理において、特徴情報受信部４９により受信された照合用特徴情報（解錠承認要求信号）を管理装置８にＬＡＮ９を介して転送する。また、有線通信部４２は、解錠制御処理において、照合結果信号が管理装置８から転送されたとき、この照合結果信号を受け取る。有線通信部４２はＬＡＮ通信回路などにより構成されている。
【００７５】
制御信号出力部４３は、解錠制御処理において、有線通信部４２により受け取られた照合結果信号（制御指令）に基づいて、電気錠３に解錠動作を行わせるための制御信号を電気錠３に出力する。制御信号出力部４３はリード線などの電線により電気錠３と接続されており、制御信号はこの電線を介して制御信号出力部４３から電気錠３に送られる。制御信号出力部４３は、例えば、制御指令に基づいて制御信号を出力する電子回路などにより構成されている。
【００７６】
情報処理部４４は、解錠制御処理において、暗号キーを生成し、この暗号キーを暗号キー送信部４８に出力する。暗号キーについては後述する。また、情報処理部４４は、解錠制御処理において、鍵装置５の暗号化部２３により暗号化された照合用特徴情報（解錠承認要求信号）を復号する。情報処理部４４は小型のマイクロコンピュータなどにより構成されている。
【００７７】
識別情報記憶部４５はＲＯＭまたはＲＡＭなどの記憶素子または記憶媒体である。識別情報記憶部４５には、制御装置７を識別するための制御装置識別情報が記憶されている。制御装置識別情報は例えば制御装置７固有の識別番号であり、制御装置７の製造過程で付与してもよいし、出荷後に入力し、保持するようにしてもよい。
【００７８】
内部制御部４６は制御装置７を全体的に制御する。また、内部制御部４６は、管理装置８において復号されたチェック用識別情報と登録用識別情報とが一致しない場合、または照合用特徴情報と登録用特徴情報とが所定の同一性基準を満たさない場合に、電気錠３を解錠せずに、解錠制御処理を中止する制御（拒絶制御処理）を行う。内部制御部４６は小型のマイクロコンピュータなどにより構成されている。
【００７９】
一方、管理装置８は例えばパーソナルコンピュータまたはサーバコンピュータなどにより構成されており、室４内に設けられている（図１参照）。管理装置８は、図６に示すように、記憶部５１、有線通信部５２、識別情報判断部５３、照合部５５、無線通信部５６および内部制御部５７を備えている。
【００８０】
記憶部５１は識別情報記憶部５８、特徴情報記憶部５９および履歴情報記憶部６０を備えている。識別情報記憶部５８は鍵装置５の登録用識別情報および制御装置７の制御装置識別情報を記憶する。バイオメトリクス認証無線鍵錠システム１において複数の鍵装置５を設ける場合には、鍵装置５の個数に応じて複数の登録用識別情報を識別情報記憶部５８に記憶する。また、バイオメトリクス認証無線鍵錠システム１において複数の制御装置７を設ける場合には、制御装置７の個数に応じて複数の制御装置識別情報を識別情報記憶部５８に記憶する。特徴情報記憶部５９は指紋の特徴点を示す登録用特徴情報（テンプレート）を記憶する。バイオメトリクス認証無線鍵錠システム１において、鍵装置５を複数人で共同使用する場合、または複数の鍵装置５を複数人でそれぞれ使用する場合には、使用者の人数に応じて複数の登録用特徴情報を特徴情報記憶部５９に記憶する。履歴情報記憶部６０は電気錠３の解錠情報などを記憶する。記憶部５１を構成する記録媒体は例えばハードディスクである。
【００８１】
有線通信部５２は、識別情報登録処理において、制御装置７から送信された制御装置識別情報を受け取る。また、有線通信部５２は、解錠制御処理において、制御装置７から転送されたチェック用識別情報を受け取る。また、解錠制御処理において、有線通信部５２は、識別情報判断部５３による判断の結果、チェック用識別情報と登録用識別情報とが一致する場合に、比較結果信号を制御装置７に転送する。また、有線通信部５２は、解錠制御処理において、制御装置７から転送された照合用識別情報を受け取る。また、解錠制御処理において、有線通信部５２は、照合部５５による照合の結果、照合用特徴情報と登録用特徴情報とが所定の同一性基準を満たす場合に、照合結果信号を制御装置７に転送する。有線通信部５２は例えばＬＡＮ通信回路などにより構成されている。
【００８２】
識別情報判断部５３は、解錠制御処理において、有線通信部５２により受信された鍵装置５のチェック用識別情報と識別情報記憶部５８に予め記憶された鍵装置５の登録用識別情報とが一致するか否かを判断する。
【００８３】
照合部５５は、解錠制御処理において、制御装置７から転送された照合用特徴情報と、特徴情報記憶部５９に予め記憶された登録用特徴情報とを照合する。
【００８４】
無線通信部５６は、識別情報登録処理において、鍵装置５から送信される初期識別情報を受信する。また、無線通信部５６は、識別情報登録処理において、チェック用識別情報を鍵装置５へ送信する。また、無線通信部５６は、特徴情報登録処理において、鍵装置５から送信される登録用特徴情報を受信する。無線通信部５６は例えば無線通信回路により構成されている。
【００８５】
内部制御部５７は管理装置８の全体的な制御を行う。また、内部制御部５７は、識別情報登録処理において、初期識別情報を暗号化し、チェック用識別情報を生成する。また、内部制御部５７は、解錠制御処理において、チェック用識別情報を復号する。
【００８６】
識別情報判断部５３、照合部５５および内部制御部５７は、例えばＣＰＵ、ＲＯＭおよびＲＡＭなどから構成されている。ＲＯＭには、識別情報判断部５３、照合部５５および内部制御部５７の機能を実現するためのプログラムが記憶されており、ＣＰＵはこのプログラムをＲＯＭから読み出して実行する。ＣＰＵがプログラムを実行するときの作業エリアとしてＲＡＭが用いられる。
【００８７】
図７は本発明の制御装置の具体的な実施例を示している。図７に示すように、制御装置１１０は、無線通信回路１１１、ＬＡＮ通信回路１１２、電気錠制御回路１１３、ＣＰＵ１１４、ＲＯＭ１１５およびＲＡＭ１１６を備えている。制御装置１１０は図６中の制御装置７の具体例に当たる。すなわち、無線通信回路１１１は無線通信部４１の具体例であり、ＬＡＮ通信回路１１２は有線通信部４２の具体例であり、電気錠制御回路１１３は制御信号出力部４３の具体例であり、ＣＰＵ１１４、ＲＯＭ１１５およびＲＡＭ１１６は情報処理部４４および内部制御部４６の具体例であり、ＲＯＭ１１５は識別情報記憶部４５の具体例である。
【００８８】
制御装置１１０を構成するこれらの回路ないし素子は、１枚の小型基板１１７上に配置されている。また、基板１１７には接続端子１１８、１１９が設けられている。接続端子１１８は例えばＬＡＮ端子であり、ＬＡＮ通信回路１１２と管理装置８とを接続するための端子である。接続端子１１９は、電気錠制御回路１１３と電気錠３とを接続するための端子である。
【００８９】
図８ないし図１１はバイオメトリクス認証無線鍵錠システム１における処理の流れを示している。バイオメトリクス認証無線鍵錠システム１は、解錠制御処理、識別情報登録処理および特徴情報登録処理を行う。解錠制御処理は、電気錠３の解錠動作を実際に制御するための処理である。識別情報登録処理は、主に、解錠制御処理において用いられる制御装置識別情報および登録用識別情報を管理装置８の識別情報記憶部５８に記憶する処理である。特徴情報登録処理は、解錠制御処理において用いられる登録用特徴情報を管理装置８の特徴情報記憶部５９に記憶する処理である。識別情報登録処理および特徴情報登録処理は、解錠制御処理を行うための準備処理であり、これらの処理はバイオメトリクス認証無線鍵錠システム１を導入したときや、鍵装置５を追加するとき、制御装置７を追加するときなどに行う。
【００９０】
図８は識別情報登録処理の流れを示している。図８に示すように、例えばバイオメトリクス認証無線鍵錠システム１の管理者が、管理装置８を識別情報登録モードにする旨の指示を管理装置８に入力する。これに応じ、管理装置８が識別情報登録モードになる（ステップＳ１）。
【００９１】
続いて、制御装置７は、識別情報記憶部４５に記憶された制御装置識別情報を有線通信部４２を介して管理装置８に送信する（ステップＳ２）。続いて、管理装置８の有線通信部５２は、制御装置７から送信された制御装置識別情報を受け取り、この制御装置識別情報を識別情報記憶部５８に記憶する（ステップＳ３）。
【００９２】
続いて、管理者または鍵装置５の利用者が鍵装置５から初期識別情報を送信する旨の指示を鍵装置５に入力すると、鍵装置５の識別情報通信部３１は初期識別情報を管理装置８に送信する（ステップＳ４）。
【００９３】
続いて、管理装置８の無線通信部５６は、鍵装置５の識別情報通信部３１から送信された初期識別情報を受信する。そして、この初期識別情報は、登録用識別情報として管理装置８の識別情報記憶部５８に記憶される（ステップＳ５）。このとき、当該鍵装置５と当該制御装置７とを組み合わせる場合（つまり当該鍵装置５により当該制御装置７に接続された電気錠３の解錠を行うように設定する場合）には、この登録用識別情報と、ステップＳ３で識別情報記憶部５８に記憶された制御装置識別情報と間に関連付けを形成する（この処理は、図１２に示すように、制御装置７を複数設ける場合があり得ることを想定したものである）。
【００９４】
続いて、管理装置８の内部制御部５７は、ステップＳ５において識別情報記憶部５８に記憶された登録用識別情報を暗号化し、これによりチェック用識別情報を生成する（ステップＳ６）。続いて、管理装置８の無線通信部５６は、チェック用識別情報を鍵装置５に送信する（ステップＳ７）。
【００９５】
続いて、鍵装置５の識別情報通信部３１は、管理装置８から送信されたチェック用識別情報を受信する。そして、このチェック用識別情報は、鍵装置５の記憶部２５に記憶される（ステップＳ８）。
【００９６】
図９は特徴情報登録処理の流れを示している。図９に示すように、例えばバイオメトリクス認証無線鍵錠システム１の管理者が、管理装置８を特徴情報登録モードにする旨の指示を管理装置８に入力する。これに応じ、管理装置８が特徴情報登録モードになる（ステップＳ１１）。
【００９７】
続いて、鍵装置５の利用者がその指を、鍵装置５に設けられた指紋情報取得部２１の指紋検出面２１Ａに乗せる。続いて、指紋情報取得部２１は、指紋検出面２１Ａに接触している指の指紋を読み取る（ステップＳ１２）。続いて、鍵装置５の特徴情報生成部２２は、指紋情報取得部２１により読み取られた指紋情報から、指紋の特徴点を抽出し、この抽出した指紋の特徴点を示しかつ指紋情報のサイズよりも小さいサイズを有する登録用特徴情報を生成する（ステップＳ１３）。続いて、鍵装置５の特徴情報送信部３３は、特徴情報生成部２２により生成された登録用特徴情報を管理装置８へ送信する（ステップＳ１４）。
【００９８】
続いて、管理装置８の無線通信部５６は、鍵装置５から送信された登録用特徴情報を受信する。そして、この登録用特徴情報は、管理装置８の特徴情報記憶部５９に記憶される（ステップＳ１５）。
【００９９】
図１０および図１１は解錠制御処理の流れを示している。図１０に示すように、例えばバイオメトリクス認証無線鍵錠システム１の管理者が、管理装置８を解錠制御モードにする旨の指示を管理装置８に入力する。これに応じ、管理装置８が解錠制御モードになる（ステップＳ２１）。
【０１００】
続いて、鍵装置５の利用者が鍵装置５を操作し、チェック用識別情報を制御装置７に送信する（ステップＳ２２）。
【０１０１】
続いて、制御装置７の識別情報受信部４７は、鍵装置５から送信されたチェック用識別情報を受信する（ステップＳ２３）。続いて、制御装置７の内部制御部４６は、識別情報記憶部４５に記憶された制御装置識別情報を読み出す。そして、制御装置７の有線通信部４２は、ステップＳ２３で受信したチェック用識別情報および制御装置識別情報を管理装置８に転送する（ステップＳ２４）。
【０１０２】
続いて、管理装置８の有線通信部５２は、制御装置７から転送されたチェック用識別情報および制御装置識別情報を受け取る（ステップＳ２５）。
【０１０３】
続いて、管理装置８の内部制御部５７は、受け取ったチェック用識別情報を復号する。これにより、識別情報登録処理において当該鍵装置５から送信された初期識別情報が得られる（ステップＳ２６）。
【０１０４】
続いて、管理装置８の識別情報判断部５３は、識別情報登録処理において識別情報記憶部５８に記憶された制御装置識別情報を、ステップＳ２５で受け取られた制御装置識別情報に基づいて特定する。そして、識別情報判断部５３は、この特定された制御装置識別情報と関連付けられた登録用識別情報を識別情報記憶部５８から読み出す。
【０１０５】
続いて、識別情報判断部５３は、この登録用識別情報と、ステップＳ２６で復号されたチェック用識別情報（初期識別情報）とを比較し、両者が一致するか否かを判断する（ステップＳ２７）。続いて、管理装置８の内部制御部５７は、復号されたチェック用識別情報と登録用識別情報との一致の有無を示す比較結果信号を生成し、この比較結果信号を有線通信部４２を介して制御装置７に転送する（ステップＳ２８）。このとき、管理装置８の内部制御部５７または有線通信部４２は、ステップＳ２５で受け取った制御装置識別情報に基づいて送信先となる制御装置７を決定する。
【０１０６】
続いて、制御装置７の有線通信部４２は、管理装置８から転送された比較結果信号を受け取る（ステップＳ２９）。そして、制御装置７の内部制御部４６は、比較結果信号に基づいて、復号されたチェック用識別情報と登録用識別情報との一致の有無を認識する（ステップＳ３０）。
【０１０７】
そして、復号されたチェック用識別情報と登録用識別情報とが一致していないときには（ステップＳ３０：ＮＯ）、制御装置７の内部制御部４６は拒絶制御処理を行う（ステップＳ３１）。拒絶制御処理では、例えば、制御装置７が鍵装置５および管理装置８に解錠制御処理を中途終了すべき旨の指令を送信する。これにより、制御装置７の制御信号出力部４３による制御信号の出力は行われず、この結果、電気錠３の解錠は行われない。
【０１０８】
一方、復号されたチェック用識別情報と登録用識別情報とが一致しているときには（ステップＳ３０：ＹＥＳ）、図１１に示すように、制御装置７の情報処理部４４が暗号キーを生成し、制御装置７の暗号キー送信部４８がこの暗号キーを鍵装置５に送信する（ステップＳ３２）。この暗号キーは、乱数や送信ごとに変化する数値、時々刻々と常時変化する数値などを利用して生成し、制御装置７から鍵装置５へ送信される度に変化することが望ましい。
【０１０９】
続いて、鍵装置５の暗号キー受信部３２は、制御装置７から送信された暗号キーを受信する（ステップＳ３３）。
【０１１０】
続いて、鍵装置５の利用者がその指を、鍵装置５に設けられた指紋情報取得部２１の指紋検出面２１Ａに乗せる。続いて、指紋情報取得部２１は、指紋検出面２１Ａに接触している指の指紋を読み取る（ステップＳ３４）。続いて、鍵装置５の特徴情報生成部２２は、指紋情報取得部２１により読み取られた指紋情報から、指紋の特徴点を抽出し、この抽出した指紋の特徴点を示しかつ指紋情報のサイズよりも小さいサイズを有する照合用特徴情報を生成する（ステップＳ３５）。
【０１１１】
続いて、鍵装置５の暗号化部２３は、この照合用特徴情報を、ステップＳ３３において受信した暗号キーを用いて暗号化する（ステップＳ３６）。そして、鍵装置５の特徴情報送信部３３はこの暗号化された照合用特徴情報を、解錠承認要求信号として制御装置７へ送信する（ステップＳ３７）。
【０１１２】
続いて、制御装置７の特徴情報受信部４９は、鍵装置５から送信された解錠承認要求信号を受信する（ステップＳ３８）。続いて、制御装置７の情報処理部４４は、この解錠承認要求信号を復号する。これにより、照合用特徴情報が得られる（ステップＳ３９）。解錠承認要求信号を復号するときには、当該解錠制御処理におけるステップＳ３２で情報処理部４４により生成された暗号キーが用いられる。続いて、制御装置７は、復号により得られた照合用特徴情報を有線通信部４２を介して管理装置８に転送する（ステップＳ４０）。
【０１１３】
続いて、管理装置８の有線通信部５２は、制御装置７から転送された照合用特徴情報を受け取る（ステップＳ４１）。続いて、管理装置８の照合部５５は、この照合用特徴情報と、特徴情報記憶部５９に記憶された登録用特徴情報とを照合し、照合用特徴情報と登録用特徴情報とが所定の同一性基準を満たすかどうか判断する（ステップＳ４２）。
【０１１４】
この照合判断に用いられる同一性基準は、照合用特徴情報と登録用特徴情報との間に同一性が認められるか否かを判断するための基準である。同一性が認められる範囲には、照合用特徴情報と登録用特徴情報とが完全に同一である場合のほかに、両者が完全に同一ではないが実質的にみて同一とみなせる場合を含めてもよい。
【０１１５】
続いて、管理装置８の内部制御部５７は、照合用特徴情報と登録用特徴情報とが所定の同一性基準を満たすか否かを示す照合結果信号を生成し、この照合結果信号を有線通信部５２を介して制御装置７へ転送する（ステップＳ４３）。なお、照合用特徴情報と登録用特徴情報とが所定の同一性基準を満たすときに生成および転送される照合結果信号は、電気錠３に解錠動作を行わせるための制御指令に相当する。
【０１１６】
続いて、制御装置７の有線通信部４２は、管理装置８から転送された照合結果信号を受け取る（ステップＳ４４）。続いて、制御装置７の内部制御部４６は、この照合結果信号に基づいて、照合用特徴情報と登録用特徴情報とが所定の同一性基準を満たしているか否かを認識する（ステップＳ４５）。
【０１１７】
そして、照合用特徴情報と登録用特徴情報とが所定の同一性基準を満たしていないときには（ステップＳ４５：ＮＯ）、制御装置７の内部制御部４６は拒絶制御処理を行う（ステップＳ４６）。拒絶制御処理では、例えば、制御装置７が鍵装置５および管理装置８に解錠制御処理を中途終了すべき旨の指令を送信する。これにより、制御装置７の制御信号出力部４３による制御信号の出力は行われず、この結果、電気錠３の解錠は行われない。
【０１１８】
一方、照合用特徴情報と登録用特徴情報とが所定の同一性基準を満たしているときには（ステップＳ４５：ＹＥＳ）、制御装置７の制御信号出力部４３は、電気錠３の解錠動作を行わせるための制御信号を電気錠３に出力する（ステップＳ４７）。これにより、電気錠３が解錠する。
【０１１９】
続いて、制御装置７の内部制御部４６は解錠信号を生成し、この解錠信号を有線通信部４２を介して管理装置８に転送する（ステップＳ４８）。解錠信号は、電気錠３が実際に解錠したことを示す信号である。
【０１２０】
続いて、管理装置８の有線通信部５２は、制御装置７から転送された解錠信号を受け取る（ステップＳ４９）。続いて、管理装置８の内部制御部５７は、電気錠３が解錠されたこと、電気錠３が解錠された時刻、電気錠３の解錠に用いられた鍵装置５の初期識別情報、電気錠３の解錠制御を行った制御装置の制御装置識別番号、電気錠３を識別するための情報、電気錠３の解錠に用いられた登録特徴情報（あるいはこの登録特徴情報に対応する指紋を有する者に関する情報）などを示す解錠情報を生成し、この解錠情報を履歴情報記憶部６０に記憶する（ステップＳ５０）。履歴情報記憶部６０に記憶された解錠情報は、室４の入出管理に利用することができる。
【０１２１】
なお、電気錠３の解錠が終わったら、指紋情報、特徴情報および暗号キーを鍵装置５の記憶部２５から消去することが望ましい。
【０１２２】
以上、バイオメトリクス認証無線鍵錠システム１では、指紋から指紋情報を取得し、この指紋情報から指紋の特徴点を示す照合用特徴情報を生成し、この照合用特徴情報を鍵装置５から錠装置６へ送信する。そして、照合用特徴情報は、錠装置６において予め記憶された登録用特徴情報と照合される。すなわち、真の利用者により鍵装置５が使用される短い期間を除き、鍵装置５内には照合用特徴情報も登録用特徴情報も保存されていない。これにより、たとえ鍵装置５が盗まれたとしても、鍵装置５からは照合用特徴情報も登録用特徴情報も読み取ることができない。したがって、電気錠３が不正に解錠されるのを防止することができ、セキュリティ性を高めることができる。
【０１２３】
また、バイオメトリクス認証無線鍵錠システム１では、照合用特徴情報と登録用特徴情報の照合を錠装置６側で行う。このため、登録用特徴情報を錠装置６内に保存する。それゆえ、鍵装置５を複数人で共同使用する場合には、複数の登録用特徴情報を錠装置６内に保存すればよい。すなわち、登録用特徴情報を鍵装置５に保存する必要がないので、たとえ鍵装置５を複数人で共同使用する場合でも、鍵装置５に大容量の記憶部を設ける必要がない。これにより、鍵装置５のサイズを小さくすることができ、消費電力を減らすことができ、鍵装置５の製造コストを下げることができる。また、鍵装置５を複数人で共同使用することが可能な鍵錠システムを容易にかつ低いコストで実現することができる。
【０１２４】
また、バイオメトリクス認証無線鍵錠システム１では、鍵装置５において、指紋情報（画像情報）のサイズよりも小さいサイズを有する照合用特徴情報を生成し、この照合用特徴情報を錠装置６へ送信する。これにより、照合用特徴情報の送信時間を短くすることができ、バイオメトリクス認証無線鍵錠システム１の操作性（レスポンス性）および利便性を高めることができる。さらに、照合用特徴情報の送信に必要な電力を小さくすることができる。本実施形態における照合用特徴情報のサイズは、指紋情報のサイズの１００分の１以下であるので、照合用特徴情報の送信時間を大幅に短くでき、バイオメトリクス認証無線鍵錠システム１の操作性（レスポンス性）および利便性を大幅に高めることができる。
【０１２５】
また、バイオメトリクス認証無線鍵錠システム１では、送信ごとに変化する暗号キーを錠装置６から鍵装置５に送信し、鍵装置５において、この暗号キーを用いて照合用特徴情報を暗号化し、この暗号化された照合用特徴情報（解錠承認要求信号）を鍵装置５から錠装置６に送信する。これにより、バイオメトリクス認証無線鍵錠システム１の使用途中に、送信中の照合用特徴情報が不正に傍受されても、その後、この傍受した照合用特徴情報を用いてバイオメトリクス認証無線鍵錠システムを正常に作動させることはできない。したがって、不正解錠を防止することができ、バイオメトリクス認証無線鍵錠システム１のセキュリティ性を高めることができる。
【０１２６】
また、バイオメトリクス認証無線鍵錠システム１では、鍵装置５を識別するためのチェック用識別情報を鍵装置５から制御装置７に送信し、さらにこのチェック用識別情報を制御装置７から管理装置８に送信し、管理装置８において、予め記憶された登録用識別情報とチェック用識別情報とが一致しない場合には、電気錠３の解錠を許可しない。これにより、電気錠３の解錠を行うことができる鍵装置５と制御装置７との組み合わせを制限することがきる。
【０１２７】
例えば、図１２は、バイオメトリクス認証無線鍵錠システム１の活用例を示している。図１２に示すバイオメトリクス認証無線鍵錠システム１は、複数の鍵装置５ａ、５ｂ、５ｃ、…、複数の制御装置７ａ、７ｂ、７ｃ、…、および１つの管理装置８を備えており、これらの装置により、複数の電気錠３ａ、３ｂ、３ｃ、…の解錠制御を行う。また、各鍵装置５を複数の利用者が利用する。この場合、鍵装置５ａと制御装置７ａとの組み合わせ、鍵装置５ｂと制御装置７ａとの組み合わせ、および鍵装置５ｃと制御装置７ａとの組み合わせに限り、電気錠３ａの解錠を行うことができる。また、鍵装置５ｄと制御装置７ｂとの組み合わせ、および鍵装置５ｅと制御装置７ｂとの組み合わせに限り、電気錠３ｂの解錠を行うことができる。また、鍵装置５ｆと制御装置７ｃとの組み合わせ、および鍵装置５ｇと制御装置７ｃとの組み合わせに限り、電気錠３ｃの解錠を行うことができる。これら以外の組み合わせでは、電気錠３ａ、３ｂ、３ｃのいずれの解錠も拒絶される。したがって、バイオメトリクス認証無線鍵錠システム１を用いて電気錠の解錠をきめ細かく管理することができると共に、セキュリティ性を高めることができる。
【０１２８】
また、バイオメトリクス認証無線鍵錠システム１において、錠装置６を制御装置７と管理装置８とに分割し、登録用特徴情報の保存および照合用特徴情報と登録用特徴情報との照合を、さらには登録用識別情報の保存およびチェック用識別情報と登録用識別情報との照合を、管理装置８により行う。一方、指紋情報の取得、および照合用特徴情報の生成は鍵装置５により行う。この結果、制御装置７は、主として、鍵装置５から照合用特徴情報を受信し、これを管理装置８に転送する手段、鍵装置５からチェック用識別情報を受信し、これを管理装置８に転送する手段、管理装置８からの照合結果信号に従って電気錠３を解錠するための制御信号を出力する手段を備えればよい。そして、制御装置７に備えるべきこれらの手段はいずれも小規模な回路で実現することができる。つまり、特徴情報および識別情報を保存するための記憶素子や記録媒体、特徴情報を照合するための集積回路、識別情報の一致を判断するための集積回路、指紋情報を取得するための指紋センサ、および特徴情報を生成するための集積回路など、比較的大規模になりがち回路や素子を制御装置７から排除することができる。したがって、例えば、制御装置７を構成するすべての回路を１個の小さな基板上にまとめて配置することができる。または、制御装置７を構成するほぼすべての回路を集積した１個のチップを製造することもできる。これにより、例えば、図１に示すように、管理装置８を室４内の広い空間に設置し、制御装置７だけを既存の電気錠３その他様々な被制御装置に直接取り付けることができる。また、制御装置７だけを既存の電気錠３その他様々な被制御装置の内部に組み込むこともできる。このように、既存の様々な被制御装置に制御装置７を簡単に設けることができ、バイオメトリクス認証無線鍵錠システム１により制御可能な被制御装置の範囲を広げることができ、バイオメトリクス認証無線鍵錠システム１の汎用性を高めることができる。
【０１２９】
また、錠装置を制御装置と管理装置とに分割する構成によれば、次のような効果が得られる。すなわち、図１２に示すように、複数の鍵装置５ａ、５ｂ、５ｃ、…を複数人でそれぞれ使用する場合、錠装置６に記憶すべき登録用特徴情報の個数および登録用識別情報の個数が複数になる。このため、複数の登録用特徴情報および複数の登録用識別情報を記憶するための記憶部の容量を大きくしなければならない。しかし、このような場合でも、登録用特徴情報および登録用識別情報を記憶するための記憶部は、各制御装置７ａ、７ｂ、７ｃ、…ではなく、管理装置８にあるので、各制御装置７ａ、７ｂ、７ｃ、…の規模が大きくなることがない。したがって、複数の鍵装置５ａ、５ｂ、５ｃ、…を複数人でそれぞれ使用する場合でも、バイオメトリクス認証無線鍵錠システム１の高い汎用性を維持することができる。さらに、図１２に示すように、バイオメトリクス認証無線鍵錠システム１で複数の電気錠３ａ、３ｂ、３ｃ、…を制御する場合には、登録用特徴情報の個数がさらに増え、より大きな容量を有する記憶手段が必要になる。しかし、このような場合でも、各制御装置７ａ、７ｂ、７ｃ、…の規模が大きくなることはなく、バイオメトリクス認証無線鍵錠システム１の高い汎用性を維持することができる。
【０１３０】
また、上述したように、錠装置を制御装置と管理装置とに分割することにより、制御装置の小型化を図ることができる。これにより、制御装置７ａ、７ｂ、７ｃ、…の個数を増やし、複数の電気錠３ａ、３ｂ、３ｃ、…の制御を容易にかつ低いコストで実現することができる。
【０１３１】
さらに、バイオメトリクス認証無線鍵錠システム１では、制御装置に制御装置識別情報を与え、互いに組み合わせて用いるべき鍵装置と制御装置の登録用識別情報と制御装置識別情報とを関連づけて管理装置の識別情報記憶部５８に記憶する。そして、チッェク用識別情報と登録用識別情報との一致判断を行うときには、制御装置識別情報に関連づけられた登録用識別情報を識別情報記憶部５８から読み出し、この登録用識別情報とチェック用識別情報との一致判断を行う。これにより、図１２に示すように、錠装置６に複数の制御装置７ａ、７ｂ、７ｃ、…を設け、これら制御装置７ａ、７ｂ、７ｃ、…により複数の電気錠３ａ、３ｂ、３ｃ、…の解錠をそれぞれ独立に制御することが可能になる。
【０１３２】
また、以上のように、バイオメトリクス認証無線鍵錠システム１によれば、複数の鍵装置、複数の制御装置、複数の被制御装置（電気錠）、複数の鍵装置利用者が存在する大規模なセキュリティ管理システムなどを容易に構築することができ、しかも高いセキュリティ性を有する管理を実現することができる。例えば、バイオメトリクス認証無線鍵錠システム１によれば、多数の室があり、多数の人が利用するような大きなビルの入出管理を、容易に実現することができ、かつ高いセキュリティ性を保証することができる。
【０１３３】
なお、上述した実施形態では、錠装置６を制御装置７と管理装置８とに分割する場合を例にあげたが、本発明はこれに限られない。図１３に示す錠装置７０のように、制御装置の構成要素と管理装置の構成要素とを一体化させてもよい。この場合、錠装置７０には、錠装置７０の全体的な制御を行う内部制御部７１を設ける。錠装置７０により扉の電気錠を制御する場合には、錠装置７０を扉の電気錠の近傍に取り付ける。錠装置７０は、図６中の制御装置７と比較して大規模なので、錠装置７０のサイズは、制御装置７のサイズよりも大きくなる。このため、錠装置７０は、制御装置７と比較して汎用性が低くなる。しかし、室内に管理装置８を設置することが困難な場合など、使用環境によっては、錠装置７０を備えたバイオメトリクス認証無線鍵錠システムを導入するほうが適切な場合もある。
【０１３４】
また、上述した実施形態では、指紋情報取得部２１を静電容量型の指紋センサにより構成する場合を例にあげたが、本発明はこれに限られない。感圧式、電界式、電界検知型、感熱型その他半導体式のセンサや、光学式センサを指紋センサとして用いてもよい。また、指紋センサは、図３に示すような指紋検出面２１Ａを有する平面型のセンサに限らず、ラインセンサーまたはスイープセンサでもよい。もっとも、指紋センサーは小型でかつ軽量であり、消費電力が小さいことが望ましい。
【０１３５】
また、上述した実施形態では、指紋の特徴を抽出する方式として特徴点抽出方式（マニューシャ方式）を採用する場合を例にあげたが、本発明はこれに限られない。指紋情報（画像情報）のサイズよりも小さいサイズを有する特徴情報を生成することが可能な方式であれば他の方式でもよい。例えば、パターンマッチング方式、パターンマッチング方式と特徴点抽出方式との組み合わせ、または周波数解析方式などを採用することも可能である。
【０１３６】
また、上述した実施形態では、鍵装置５により指から指紋情報を取得し、指紋の特徴点を抽出する場合を例にあげたが、本発明はこれに限られない。人体の特徴要素を含む人体情報として指紋情報以外の人体情報を鍵装置５により取得してもよい。また、人体の特徴要素として指紋の特徴点以外の特徴要素を鍵装置５により抽出してもよい。例えば、顔面情報を取得し、顔面の特徴点を抽出してもよいし、静脈情報を取得し、静脈パターンを抽出してもよいし、虹彩情報を取得し、虹彩の特徴を抽出してもよいし、声紋情報を取得し、声紋の特徴を抽出してもよい。ただし、これらいずれの場合でも、人体情報から特徴情報を生成するときには、特徴点抽出方式または周波数解析方式などに基づく情報処理を行い、人体情報のサイズよりも小さいサイズを有する特徴情報を生成する。
【０１３７】
例えば、図１４に示す鍵装置１３０は、人体情報取得手段としてカメラ１３１を備えており、カメラ１３１により顔面または虹彩の情報を取得することができる。また、図１５に示す鍵装置１４０は、人体情報取得手段としてのカメラ１４１が鍵装置１４２から分離している。また、図１６に示す鍵装置１５０は、人体情報取得手段として静脈検出部１５１を備えており、挿入口１５１Ａに挿入された指の静脈パターンを検出することができる。本発明の鍵装置はこのような鍵装置を含む。
【０１３８】
また、鍵装置５と錠装置６との間の無線通信は、両者間で電波や赤外線などを直接送受して行う方式であることが望ましい。
【０１３９】
また、上述した実施形態では、識別情報登録処理において、鍵装置５から管理装置８への初期識別情報の送信、および管理装置８から鍵装置５へのチェック用識別情報の送信を無線通信方式により行う場合を例にあげたが、本発明はこれに限られない。鍵装置５および管理装置８に両者間をケーブルなどの電線で接続する手段を設け、鍵装置５と管理装置８との間の初期識別情報およびチェック用識別情報の転送をケーブルなどの電線を介して行ってもよい。
【０１４０】
また、上述した実施形態では、特徴情報登録処理において、鍵装置５から管理装置８への登録用特徴情報の送信を無線通信方式により行う場合を例にあげたが、本発明はこれに限られない。鍵装置５および管理装置８に両者間をケーブルなどの電線で接続する手段を設け、鍵装置５から管理装置８への登録用特徴情報の送信をケーブルなどの電線を介して行ってもよい。あるいは、登録用特徴情報の管理装置８への登録には、鍵装置５とは別の指紋センサ装置を用いてもよい。
【０１４１】
また、上述した実施形態では、制御装置７と管理装置８とをＬＡＮ９により接続する場合を例にあげたが、本発明はこれに限られない。例えば、制御装置７と管理装置８とをＰＬＣ（電力線搬送通信）により接続してもよい。また、制御装置７と管理装置８との相互接続は有線に限らず無線（例えば無線ＬＡＮ）でもよい。また、制御装置７と管理装置８との間の通信プロトコルは任意の通信プロトコルを用いることができる。
【０１４２】
また、上述した実施形態では、図１０および図１１に示すように、チェック用識別情報と登録用識別情報とが一致することの判断（ステップＳ２２ないしステップＳ３０）を行った後に、暗号キーの送受信、指紋情報の取得、照合用特徴情報の生成、照合特徴情報の暗号化、および暗号化された照合用特徴情報（解錠承認要求信号）の送信（ステップＳ３２ないしステップＳ３７）を行う場合を例にあげた。この例によれば、チェック用識別情報と登録用識別情報とが一致しない場合には、指紋情報の取得も照合用特徴情報の生成も行われない。このため、指紋情報などのようなプライバシー性のある情報を保護することができるという点や、無駄な動作を行うことなく省力化を図ることができるという点で優れている。しかし、本発明はこれに限られない。例えば、鍵装置５において指紋情報の取得および照合用特徴情報の生成を先に行い、次に、チェック用識別情報を鍵装置５から制御装置７に送信し、さらにこのチェック用識別情報を制御装置７から管理装置８へ転送し、管理装置８において、チェック用識別情報を復号し、そしてこの復号されたチェック用識別情報と登録用識別情報とが一致するか否かを判断し、この判断結果に基づいて制御装置７から鍵装置５へ暗号キーを送信し、鍵装置５がこの暗号キーを用いて、先に生成された照合用特徴情報を暗号化し、この暗号化された照合用特徴情報（解錠承認要求信号）を鍵装置５から制御装置７へ送信してもよい。この手順によれば、鍵装置５における指紋情報の取得をきっかけにして、照合用特徴情報の生成、チェック用識別情報と登録用識別情報との一致判断、照合用特徴情報の暗号化、および暗号化された照合用特徴情報の送信を、これらの処理の途中で鍵装置５の利用者との対話を行うことなしに、自動的に連続して行うことができる。したがって、解錠時におけるバイオメトリクス認証無線鍵錠システム１の操作性を高めることができる。
【０１４３】
また、上述した実施形態では、バイオメトリクス認証無線鍵錠システム１により扉２の電気錠３の解錠動作を制御する場合を例にあげたが、本発明の鍵錠システムで制御することができる被制御装置の動作は、これに限られない。本発明の鍵錠システムは、錠の施錠、自動車エンジンの始動、医療機器の操作、コンピュータの起動、コンピュータシステムへのログイン、ファクトリーオートメーションシステムの操作その他機器、装置またはシステムなどの動作制御に適用することができる。
【０１４４】
また、図２において、電気錠３が被制御装置の具体例である。また、図４において、指紋情報取得部２１が指紋情報取得手段の具体例であり、特徴情報生成部２２が特徴情報生成手段の具体例であり、暗号化部２３が暗号化手段の具体例であり、識別情報通信部３１が識別情報送信手段の具体例であり、暗号キー受信部３２が暗号キー受信手段の具体例であり、特徴情報送信部３３が特徴情報送信手段の具体例である。
【０１４５】
また、図６において、有線通信部４２が特徴情報転送手段の具体例であり、制御信号出力部４３が制御信号出力手段の具体例であり、識別情報受信部４７が識別情報受信手段の具体例であり、情報処理部４４および暗号キー送信部４８が暗号キー送信手段の具体例であり、特徴情報受信部４９が特徴情報受信手段の具体例であり、情報処理部４４が復号手段の具体例であり、有線通信部５２が制御指令転送手段の具体例であり、識別情報判断部５３が識別情報判断手段の具体例であり、照合部５５が照合手段の具体例であり、識別情報記憶部５８が識別情報記憶手段の具体例であり、特徴情報記憶部５９が特徴情報記憶手段の具体例であり、内部制御部４６が拒絶制御手段の具体例である。
【０１４６】
また、図１１中のステップＳ３４が人体情報取得工程の具体例であり、ステップＳ３５が特徴情報生成工程の具体例であり、ステップＳ３７が特徴情報送信工程の具体例であり、ステップＳ３８が特徴情報受信工程の具体例であり、ステップＳ４２が照合工程の具体例であり、ステップＳ４７が制御信号出力工程の具体例である。
【０１４７】
また、本発明は、請求の範囲および明細書全体から読み取るこのできる発明の要旨または思想に反しない範囲で適宜変更可能であり、そのような変更を伴うバイオメトリクス認証無線鍵錠システム、鍵装置、錠装置、制御装置および特定動作制御方法もまた本発明の技術思想に含まれる。
【図面の簡単な説明】
【０１４８】
【図１】本発明のバイオメトリクス認証無線鍵錠システムの実施形態を示す説明図である。
【図２】図１中のバイオメトリクス認証無線鍵錠システムの構成を示すブロック図である。
【図３】図２中の鍵装置の外観を示す斜視図である。
【図４】図３中の鍵装置の構成を示すブロック図である。
【図５】本発明の鍵装置の具体的な実施例を示すブロック図である。
【図６】図２中の錠装置の構成を示すブロック図である。
【図７】本発明の制御装置の具体的な実施例を示すブロック図である。
【図８】本発明のバイオメトリクス認証無線鍵錠システムの実施形態における識別情報登録処理を示すフローチャートである。
【図９】本発明のバイオメトリクス認証無線鍵錠システムの実施形態における特徴情報登録処理を示すフローチャートである。
【図１０】本発明のバイオメトリクス認証無線鍵錠システムの実施形態における解錠制御処理を示すフローチャートである。
【図１１】図１０に続くフローチャートである。
【図１２】鍵装置、制御装置および電気錠がそれぞれ複数あり、各鍵装置を複数人が共同使用する場合におけるバイオメトリクス認証無線鍵錠システムの活用例を示す説明図である。
【図１３】本発明の錠装置の他の実施形態を示すブロック図である。
【図１４】本発明の鍵装置の他の実施形態を示す斜視図である。
【図１５】本発明の鍵装置の別の実施形態を示す斜視図である。
【図１６】本発明の鍵装置のさらに別の実施形態を示す斜視図である。
【符号の説明】
【０１４９】
１  バイオメトリクス認証無線鍵錠システム
３  電気錠
５、１３０、１４０、１５０  鍵装置
６、７０  錠装置
７  制御装置
８  管理装置
２１  指紋情報取得部
２２  特徴情報生成部
２３  暗号化部
３１  識別情報通信部
３２  暗号キー受信部
３３  特徴情報送信部
４２  有線通信部
４３  制御信号出力部
４４  情報処理部
４５  識別情報記憶部
４７  識別情報受信部
４８  暗号キー送信部
４９  特徴情報受信部
５２  有線通信部
５３  識別情報判断部
５５  照合部
５８  識別情報記憶部
５９  特徴情報記憶部
１３１、１４１  カメラ
１５１  静脈検出部
【図１】
2008266907.tif 000003
【図２】
2008266907.tif 000004
【図３】
2008266907.tif 000005
【図４】
2008266907.tif 000006
【図５】
2008266907.tif 000007
【図６】
2008266907.tif 000008
【図７】
2008266907.tif 000009
【図８】
2008266907.tif 000010
【図９】
2008266907.tif 000011
【図１０】
2008266907.tif 000012
【図１１】
2008266907.tif 000013
【図１２】
2008266907.tif 000014
【図１３】
2008266907.tif 000015
【図１４】
2008266907.tif 000016
【図１５】
2008266907.tif 000017
【図１６】
2008266907.tif 000018
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
鍵装置および錠装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズの１００分の１以下のサイズを有する第１特徴情報を生成する特徴情報生成手段と、
前記特徴情報生成手段により生成された第１特徴情報を無線通信方式により送信する特徴情報送信手段とを備え、
前記錠装置は、
人体の特徴要素を示す第２特徴情報を記憶する特徴情報記憶手段と、
前記特徴情報送信手段により送信された第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えていることを特徴とする鍵錠システム。
【請求項２】
鍵装置および錠装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、
前記特徴情報生成手段により生成された第１特徴情報を無線通信方式により送信する特徴情報送信手段と、
当該鍵装置を識別するための第１識別情報を無線通信方式により送信する識別情報送信手段とを備え、
前記錠装置は、
人体の特徴要素を示す第２特徴情報を記憶する特徴情報記憶手段と、
前記特徴情報送信手段により送信された第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段と、
前記鍵装置を識別するための第２識別情報を記憶する識別情報記憶手段と、
前記識別情報送信手段により送信された第１識別情報を受信する識別情報受信手段と、
前記識別情報受信手段により受信された第１識別情報と前記識別情報記憶手段により予め記憶された第２識別情報とが一致するか否かを判断する識別情報判断手段と、
前記識別情報判断手段による判断の結果、前記第１識別情報と前記第２識別情報とが一致しない場合には、前記特徴情報送信手段による前記第１特徴情報の送信が行われないようにする拒絶制御手段とを備えていることを特徴とする鍵錠システム。
【請求項３】
前記鍵装置は、
前記錠装置から送信された暗号キーを受信する暗号キー受信手段と、
前記暗号キー受信手段により受信された暗号キーを用いて前記第１特徴情報を暗号化する暗号化手段とをさらに備え、
前記錠装置は、
前記暗号キーを生成し、前記暗号キーを無線通信方式により送信する暗号キー送信手段と、
前記暗号化手段により暗号化された前記第１特徴情報を復号する復号手段とをさらに備え、
前記拒絶制御手段は、前記識別情報判断手段による判断の結果、前記第１識別情報と前記第２識別情報とが一致しない場合には、前記暗号キー送信手段による前記暗号キーの送信が行われないようにすることを特徴とする請求項２に記載の鍵錠システム。
【請求項４】
前記暗号キー送信手段は、前記暗号キーを送信ごとに変化させることを特徴とする請求項３に記載の鍵錠システム。
【請求項５】
鍵装置、制御装置および管理装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、
前記特徴情報生成手段により生成された第１特徴情報を無線通信方式により送信する特徴情報送信手段とを備え、
前記制御装置は、
前記鍵装置の特徴情報送信手段により送信された第１特徴情報を受信する特徴情報受信手段と、
前記特徴情報受信手段により受信された第１特徴情報を前記管理装置に転送する特徴情報転送手段と、
前記管理装置から転送された制御指令に基づいて、被制御装置に特定動作を行わせるための制御信号を前記被制御装置に出力する制御信号出力手段とを備え、
前記管理装置は、
人体の特徴要素を示す第２特徴情報を記憶する特徴情報記憶手段と、
前記制御装置の特徴情報転送手段により転送された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合に、前記被制御装置に前記特定動作を行わせるための前記制御指令を前記制御装置に転送する制御指令転送手段とを備えていることを特徴とする鍵錠システム。
【請求項６】
前記鍵装置は、
当該鍵装置を識別するための第１識別情報を無線通信方式により送信する識別情報送信手段をさらに備え、
前記制御装置は、
前記鍵装置の識別情報送信手段により送信された第１識別情報を受信する識別情報受信手段と、
前記識別情報受信手段により受信された第１識別情報を前記管理装置に転送する識別情報転送手段とをさらに備え、
前記管理装置は、
前記鍵装置を識別するための第２識別情報を記憶する識別情報記憶手段と、
前記制御装置の識別情報転送手段により転送された第１識別情報と前記識別情報記憶手段により予め記憶された第２識別情報とが一致するか否かを判断する識別情報判断手段とをさらに備え、
前記制御装置または前記管理装置は、
前記識別情報判断手段による判断の結果、前記第１識別情報と前記第２識別情報とが一致しない場合に、前記特徴情報送信手段による前記第１特徴情報の送信が行われないようにする拒絶制御手段をさらに備えていることを特徴とする請求項５に記載の鍵錠システム。
【請求項７】
前記制御装置は、当該制御装置を識別するための第３識別情報を有することを特徴とする請求項５に記載の鍵錠システム。
【請求項８】
人体の特徴要素を示す特徴情報を錠装置に送信することにより、前記錠装置の制御対象である被制御装置の動作を制御する鍵装置であって、
人体の特徴要素を含む人体情報を前記人体から取得する人体情報取得手段と、
前記人体情報取得手段により取得された人体情報から前記人体の特徴要素を抽出し、前記抽出した人体の特徴要素を示しかつ前記人体情報のサイズの１００分の１以下のサイズを有する特徴情報を生成する特徴情報生成手段と、
前記特徴情報生成手段により生成された特徴情報を無線通信方式により送信する特徴情報送信手段とを備えていることを特徴とする鍵装置。
【請求項９】
鍵装置から無線通信方式により送信され人体の特徴要素を示す第１特徴情報を受信し、前記鍵装置から無線通信方式により送信され前記鍵装置を識別するための第１識別情報を受信し、前記第１特徴情報および前記第１識別情報に基づいて被制御装置の特定動作を制御する錠装置であって、
人体の特徴要素を示す第２特徴情報を記憶する特徴情報記憶手段と、
前記鍵装置から送信された前記第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、前記被制御装置に前記特定動作を行わせるための制御信号を前記被制御装置に出力する制御信号出力手段と、
前記鍵装置を識別するための第２識別情報を記憶する識別情報記憶手段と、
前記鍵装置から送信された第１識別情報を受信する識別情報受信手段と、
前記識別情報受信手段により受信された第１識別情報と前記識別情報記憶手段により予め記憶された第２識別情報とが一致するか否かを判断する識別情報判断手段と、
前記識別情報判断手段による判断の結果、前記第１識別情報と前記第２識別情報とが一致しない場合には、前記鍵装置による前記第１特徴情報の送信が行われないようにする拒絶制御手段とを備えていることを特徴とする錠装置。
【請求項１０】
（１）人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、前記特徴情報生成手段により生成された第１特徴情報を無線通信方式により送信する特徴情報送信手段とを備えた鍵装置と、（２）人体の特徴要素を示す第２特徴情報を記憶する特徴情報記憶手段と、前記特徴情報記憶手段に予め記憶された第２特徴情報と前記第１特徴情報とを照合する照合手段と、前記照合手段による照合の結果、前記第１特徴情報と前記第２特徴情報とが所定の同一性基準を満たす場合に、被制御装置に特定動作を行わせるための制御指令を転送する制御指令転送手段とを備えた管理装置と共に、前記被制御装置の前記特定動作を制御する制御装置であって、
前記鍵装置の特徴情報送信手段により送信された第１特徴情報を受信する特徴情報受信手段と、
前記特徴情報受信手段により受信された第１特徴情報を前記管理装置に転送する特徴情報転送手段と、
前記管理装置の制御指令転送手段により転送された制御指令に基づいて、前記被制御装置に前記特定動作を行わせるための制御信号を前記被制御装置に出力する制御信号出力手段とを備えていることを特徴とする制御装置。
【請求項１１】
鍵装置、制御装置および管理装置を用いて被制御装置の特定動作を制御する特定動作制御方法であって、
人体の特徴要素を含む人体情報を前記鍵装置により前記人体から取得する人体情報取得工程と、
前記人体情報取得工程において取得された人体情報から前記人体の特徴要素を前記鍵装置により抽出し、前記抽出した人体の特徴要素を示しかつ前記人体情報のサイズよりも小さいサイズを有する第１特徴情報を前記鍵装置により生成する特徴情報生成工程と、
前記特徴情報生成工程において生成された第１特徴情報を前記鍵装置から前記制御装置に無線通信方式により送信する特徴情報送信工程と、
前記特徴情報送信工程において送信された第１特徴情報を前記制御装置により受信する特徴情報受信工程と、
前記特徴情報受信工程において受信された第１特徴情報を前記制御装置から前記管理装置に転送する特徴情報転送工程と、
前記管理装置の記憶手段に予め記憶され、人体の特徴要素を示す第２特徴情報と、前記特徴情報転送工程において転送された第１特徴情報とを前記管理装置において照合する照合工程と、
前記照合工程における照合の結果、前記第１特徴情報と前記第２特徴情報とが所定の同一性基準を満たす場合に、前記被制御装置に前記特定動作を行わせるための制御指令を前記管理装置から前記制御装置に転送する制御指令転送工程と、
前記制御指令転送工程において転送された制御指令に基づいて、前記被制御装置に前記特定動作を行わせるための制御信号を前記制御装置から前記被制御装置に出力する制御信号出力工程とを備えていることを特徴とする特定動作制御方法。
【手続補正２】
【補正対象書類名】明細書
【補正対象項目名】００２３
【補正方法】変更
【補正の内容】
【００２３】
上記課題を解決するために、第１の発明は、鍵装置および錠装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズの１００分の１以下のサイズを有する第１特徴情報を生成する特徴情報生成手段と、前記特徴情報生成手段により生成された第１特徴情報を無線通信方式により送信する特徴情報送信手段とを備え、前記錠装置は、人体の特徴要素を示す第２特徴情報を記憶する特徴情報記憶手段と、前記特徴情報送信手段により送信された第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えている。
【手続補正３】
【補正対象書類名】明細書
【補正対象項目名】００２４
【補正方法】変更
【補正の内容】
【００２４】
前記人体情報が人体の一部を示す画像情報である場合には、前記特徴情報生成手段は、前記人体情報取得手段により取得された画像情報から前記人体の特徴要素を抽出し、当該抽出した人体の特徴要素を示しかつ前記人体情報のサイズの１００分の１以下のサイズを有する第１特徴情報を生成することが望ましい。
【手続補正４】
【補正対象書類名】明細書
【補正対象項目名】００２５
【補正方法】変更
【補正の内容】
【００２５】
上記課題を解決するために、第２の発明は、鍵装置および錠装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、前記特徴情報生成手段により生成された第１特徴情報を無線通信方式により送信する特徴情報送信手段と、当該鍵装置を識別するための第１識別情報を無線通信方式により送信する識別情報送信手段とを備え、前記錠装置は、人体の特徴要素を示す第２特徴情報を記憶する特徴情報記憶手段と、前記特徴情報送信手段により送信された第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段と、前記鍵装置を識別するための第２識別情報を記憶する識別情報記憶手段と、前記識別情報送信手段により送信された第１識別情報を受信する識別情報受信手段と、前記識別情報受信手段により受信された第１識別情報と前記識別情報記憶手段により予め記憶された第２識別情報とが一致するか否かを判断する識別情報判断手段と、前記識別情報判断手段による判断の結果、前記第１識別情報と前記第２識別情報とが一致しない場合には、前記特徴情報送信手段による前記第１特徴情報の送信が行われないようにする拒絶制御手段とを備えている。
【手続補正５】
【補正対象書類名】明細書
【補正対象項目名】００２６
【補正方法】変更
【補正の内容】
【００２６】
また、第２の発明において、前記鍵装置は、前記錠装置から送信された暗号キーを受信する暗号キー受信手段と、前記暗号キー受信手段により受信された暗号キーを用いて前記第１特徴情報を暗号化する暗号化手段とをさらに備え、前記錠装置は、前記暗号キーを生成し、前記暗号キーを無線通信方式により送信する暗号キー送信手段と、前記暗号化手段により暗号化された前記第１特徴情報を復号する復号手段とをさらに備える構成としてもよい。この場合、前記拒絶制御手段は、前記識別情報判断手段による判断の結果、前記第１識別情報と前記第２識別情報とが一致しない場合には、前記暗号キー送信手段による前記暗号キーの送信が行われないようにする。
【手続補正６】
【補正対象書類名】明細書
【補正対象項目名】００２７
【補正方法】変更
【補正の内容】
【００２７】
また、この場合、前記暗号キー送信手段は、前記暗号キーを送信ごとに変化させることが望ましい。
【手続補正７】
【補正対象書類名】明細書
【補正対象項目名】００２８
【補正方法】変更
【補正の内容】
【００２８】
上記課題を解決するために、第３の発明は、鍵装置、制御装置および管理装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、前記特徴情報生成手段により生成された第１特徴情報を無線通信方式により送信する特徴情報送信手段とを備え、前記制御装置は、前記鍵装置の特徴情報送信手段により送信された第１特徴情報を受信する特徴情報受信手段と、前記特徴情報受信手段により受信された第１特徴情報を前記管理装置に転送する特徴情報転送手段と、前記管理装置から転送された制御指令に基づいて、被制御装置に特定動作を行わせるための制御信号を前記被制御装置に出力する制御信号出力手段とを備え、前記管理装置は、人体の特徴要素を示す第２特徴情報を記憶する特徴情報記憶手段と、前記制御装置の特徴情報転送手段により転送された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合に、前記被制御装置に前記特定動作を行わせるための前記制御指令を前記制御装置に転送する制御指令転送手段とを備えている。
【手続補正８】
【補正対象書類名】明細書
【補正対象項目名】００２９
【補正方法】変更
【補正の内容】
【００２９】
また、第３の発明において、前記鍵装置は、当該鍵装置を識別するための第１識別情報を無線通信方式により送信する識別情報送信手段をさらに備え、前記制御装置は、前記鍵装置の識別情報送信手段により送信された第１識別情報を受信する識別情報受信手段と、前記識別情報受信手段により受信された第１識別情報を前記管理装置に転送する識別情報転送手段とをさらに備え、前記管理装置は、前記鍵装置を識別するための第２識別情報を記憶する識別情報記憶手段と、前記制御装置の識別情報転送手段により転送された第１識別情報と前記識別情報記憶手段により予め記憶された第２識別情報とが一致するか否かを判断する識別情報判断手段とをさらに備え、前記制御装置または前記管理装置は、前記識別情報判断手段による判断の結果、前記第１識別情報と前記第２識別情報とが一致しない場合に、前記特徴情報送信手段による前記第１特徴情報の送信が行われないようにする拒絶制御手段をさらに備える構成としてもよい。
【手続補正９】
【補正対象書類名】明細書
【補正対象項目名】００３０
【補正方法】変更
【補正の内容】
【００３０】
また、第３の発明において、前記制御装置は、当該制御装置を識別するための第３識別情報を有することが望ましい。
【手続補正１０】
【補正対象書類名】明細書
【補正対象項目名】００３１
【補正方法】変更
【補正の内容】
【００３１】
上記課題を解決するために、第４の発明は、人体の特徴要素を示す特徴情報を錠装置に送信することにより、前記錠装置の制御対象である被制御装置の動作を制御する鍵装置であって、人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズの１００分の１以下のサイズを有する特徴情報を生成する特徴情報生成手段と、前記特徴情報生成手段により生成された特徴情報を無線通信方式により送信する特徴情報送信手段とを備えている。
【手続補正１１】
【補正対象書類名】明細書
【補正対象項目名】００３２
【補正方法】変更
【補正の内容】
【００３２】
上記課題を解決するために、第５の発明は、鍵装置から無線通信方式により送信され人体の特徴要素を示す第１特徴情報を受信し、前記鍵装置から無線通信方式により送信され前記鍵装置を識別するための第１識別情報を受信し、前記第１特徴情報および前記第１識別情報に基づいて被制御装置の特定動作を制御する錠装置であって、人体の特徴要素を示す第２特徴情報を記憶する特徴情報記憶手段と、前記鍵装置から送信された前記第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、前記被制御装置に前記特定動作を行わせるための制御信号を前記被制御装置に出力する制御信号出力手段と、前記鍵装置を識別するための第２識別情報を記憶する識別情報記憶手段と、前記鍵装置から送信された第１識別情報を受信する識別情報受信手段と、前記識別情報受信手段により受信された第１識別情報と前記識別情報記憶手段により予め記憶された第２識別情報とが一致するか否かを判断する識別情報判断手段と、前記識別情報判断手段による判断の結果、前記第１識別情報と前記第２識別情報とが一致しない場合には、前記鍵装置による前記第１特徴情報の送信が行われないようにする拒絶制御手段とを備えている。
【手続補正１２】
【補正対象書類名】明細書
【補正対象項目名】００３３
【補正方法】変更
【補正の内容】
【００３３】
上記課題を解決するために、第６の発明は、（１）人体の特徴要素を含む人体情報を前記人体から取得する人体情報取得手段と、前記人体情報取得手段により取得された人体情報から前記人体の特徴要素を抽出し、前記抽出した人体の特徴要素を示しかつ前記人体情報のサイズよりも小さいサイズを有する第１特徴情報を生成する特徴情報生成手段と、前記特徴情報生成手段により生成された第１特徴情報を無線通信方式により送信する特徴情報送信手段とを備えた鍵装置と、（２）人体の特徴要素を示す第２特徴情報を記憶する特徴情報記憶手段と、前記特徴情報記憶手段に予め記憶された第２特徴情報と前記第１特徴情報とを照合する照合手段と、前記照合手段による照合の結果、前記第１特徴情報と前記第２特徴情報とが所定の同一性基準を満たす場合に、被制御装置に特定動作を行わせるための制御指令を転送する制御指令転送手段とを備えた管理装置と共に、前記被制御装置の前記特定動作を制御する制御装置であって、前記鍵装置の特徴情報送信手段により送信された第１特徴情報を受信する特徴情報受信手段と、前記特徴情報受信手段により受信された第１特徴情報を前記管理装置に転送する特徴情報転送手段と、前記管理装置の制御指令転送手段により転送された制御指令に基づいて、前記被制御装置に前記特定動作を行わせるための制御信号を前記被制御装置に出力する制御信号出力手段とを備えている。
【手続補正１３】
【補正対象書類名】明細書
【補正対象項目名】００３４
【補正方法】変更
【補正の内容】
【００３４】
上記課題を解決するために、第７の発明は、鍵装置、制御装置および管理装置を用いて被制御装置の特定動作を制御する特定動作制御方法であって、人体の特徴要素を含む人体情報を前記鍵装置により前記人体から取得する人体情報取得工程と、前記人体情報取得工程において取得された人体情報から前記人体の特徴要素を前記鍵装置により抽出し、前記抽出した人体の特徴要素を示しかつ前記人体情報のサイズよりも小さいサイズを有する第１特徴情報を前記鍵装置により生成する特徴情報生成工程と、前記特徴情報生成工程において生成された第１特徴情報を前記鍵装置から前記制御装置に無線通信方式により送信する特徴情報送信工程と、前記特徴情報送信工程において送信された第１特徴情報を前記制御装置により受信する特徴情報受信工程と、前記特徴情報受信工程において受信された第１特徴情報を前記制御装置から前記管理装置に転送する特徴情報転送工程と、前記管理装置の記憶手段に予め記憶され、人体の特徴要素を示す第２特徴情報と、前記特徴情報転送工程において転送された第１特徴情報とを前記管理装置において照合する照合工程と、前記照合工程における照合の結果、前記第１特徴情報と前記第２特徴情報とが所定の同一性基準を満たす場合に、前記被制御装置に前記特定動作を行わせるための制御指令を前記管理装置から前記制御装置に転送する制御指令転送工程と、前記制御指令転送工程において転送された制御指令に基づいて、前記被制御装置に前記特定動作を行わせるための制御信号を前記制御装置から前記被制御装置に出力する制御信号出力工程とを備えている。
【手続補正１４】
【補正対象書類名】明細書
【補正対象項目名】００３５
【補正方法】変更
【補正の内容】
【００３５】
本発明の鍵錠システムでは、人体から人体情報を取得し、この人体情報に基づいて、人体の特徴要素を示す第１特徴情報を生成し、この第１特徴情報を鍵装置から錠装置へ送信する。そして、第１特徴情報は、錠装置において予め記憶された第２特徴情報と照合される。すなわち、真の利用者により鍵装置が使用される短い期間を除き、鍵装置内には第１特徴情報も第２特徴情報も保存されていない。これにより、たとえ鍵装置が盗まれたとしても、鍵装置からは第１特徴情報も第２特徴情報も読み取ることができない。したがって、扉が不正に解錠されたり、被制御装置が不正に使用されたりするのを防止することができ、セキュリティ性を高めることができる。
【手続補正１５】
【補正対象書類名】明細書
【補正対象項目名】００３６
【補正方法】変更
【補正の内容】
【００３６】
また、本発明の鍵錠システムでは、第１特徴情報と第２特徴情報の照合を錠装置側で行う。このため、第２特徴情報を錠装置内に保存する。それゆえ、鍵装置を複数人で共同使用する場合には、複数の第２特徴情報を錠装置内に保存すればよい。すなわち、第２特徴情報を鍵装置に保存する必要がないので、たとえ鍵装置を複数人で共同使用する場合でも、鍵装置に大容量の記憶部を設ける必要がない。これにより、鍵装置のサイズを小さくすることができ、消費電力を減らすことができ、鍵装置の製造コストを下げることができる。また、鍵装置を複数人で共同使用することが可能な鍵錠システムを容易にかつ低いコストで実現することができる。
【手続補正１６】
【補正対象書類名】明細書
【補正対象項目名】００３７
【補正方法】変更
【補正の内容】
【００３７】
また、本発明の鍵錠システムでは、鍵装置において、人体から取得した人体情報のサイズよりも小さいサイズを有する第１特徴情報を生成し、この第１特徴情報を錠装置へ送信する。これにより、第１特徴情報の送信時間を短くすることができ、鍵錠システムの操作性（レスポンス性）および利便性を高めることができる。さらに、第１特徴情報の送信に必要な電力を小さくすることができる。
【手続補正１７】
【補正対象書類名】明細書
【補正対象項目名】００３８
【補正方法】変更
【補正の内容】
【００３８】
また、本発明の鍵錠システムにおいて、人体情報が人体の一部を示す画像情報である場合には、人体の一部を示す画像情報のサイズよりも小さいサイズを有する第１特徴情報を生成する。これにより、第１特徴情報の送信時間を短くすることができ、第１特徴情報の送信に必要な電力を小さくすることができる。
【手続補正１８】
【補正対象書類名】明細書
【補正対象項目名】００３９
【補正方法】変更
【補正の内容】
【００３９】
また、本発明の鍵錠システムにおいて、第１特徴情報のサイズを、人体情報または画像情報のサイズの１００分の１以下にする。これにより、第１特徴情報の送信時間を短くすることができ、第１特徴情報の送信に必要な電力を小さくすることができる。
【手続補正１９】
【補正対象書類名】明細書
【補正対象項目名】００４０
【補正方法】変更
【補正の内容】
【００４０】
また、本発明の鍵錠システムにおいて、送信ごとに変化する暗号キーを錠装置から鍵装置に送信し、鍵装置において、この暗号キーを用いて第１特徴情報を暗号化し、この暗号化された第１特徴情報を鍵装置から錠装置に送信する。これにより、鍵錠システムの使用途中に、送信中の第１特徴情報が不正に傍受されても、その後、この傍受した第１特徴情報を用いて鍵錠システムを正常に作動させることはできない。したがって、不正解錠などを防止することができ、鍵錠システムのセキュリティ性を高めることができる。
【手続補正２０】
【補正対象書類名】明細書
【補正対象項目名】００４１
【補正方法】変更
【補正の内容】
【００４１】
また、本発明の鍵錠システムにおいて、鍵装置を識別するための第１識別情報を鍵装置から錠装置に送信し、錠装置において、予め記憶された第２識別情報と鍵装置から受信した第１識別情報とが一致しない場合には、扉の解錠や被制御装置の使用を許可しない。これにより、特定の扉の解錠や特定の被制御装置の動作制御を行うことができる鍵装置と錠装置との組み合わせを制限することがきる。例えば、複数の鍵装置Ｋ１、Ｋ２、Ｋ３と、１つの錠装置Ｌがある場合には、鍵装置Ｋ１と錠装置Ｌの組み合わせに限り、特定の扉の解錠を許可し、他の組み合わせでは、この特定の扉の解錠を拒絶することができる。したがって、鍵錠システムを用いて扉の解錠や被制御装置の使用をきめ細かく管理することができると共に、セキュリティ性を高めることができる。
【手続補正２１】
【補正対象書類名】明細書
【補正対象項目名】００４２
【補正方法】変更
【補正の内容】
【００４２】
また、本発明の鍵錠システムにおいて、錠装置を制御装置と管理装置とに分割し、第２特徴情報の保存および第１特徴情報と第２特徴情報との照合を、さらには第２識別情報の保存および第１識別情報と第２識別情報との照合を、管理装置により行う。一方、人体情報または人体の一部を示す画像情報の取得、および第１特徴情報の生成は、上述した通り鍵装置により行う。この結果、制御装置は、鍵装置から第１特徴情報を受信し、これを管理装置に転送する手段と、鍵装置から第１識別情報を受信し、これを管理装置に転送する手段と、管理装置からの制御指令に従って被制御装置を制御するための制御信号を出力する手段とを備えればよい。そして、制御装置に備えるべきこれらの手段はいずれも小規模な回路で実現することができる。したがって、例えば、制御装置を構成するすべての回路を１個の小さな基板上にまとめて配置することができる。または、制御装置を構成するほぼすべての回路を集積した１個のチップを製造することもできる。これにより、例えば、管理装置を室内の広い空間に設置し、制御装置だけを既存の電気錠に直接取り付けることができる。また、制御装置だけを既存の電気錠内に組み込むこともできる。このように、様々な扉、様々な錠、または様々な被制御装置に制御装置を簡単に設けることができ、鍵錠システムにより制御可能な被制御装置の範囲を広げることができ、鍵錠システムの汎用性を高めることができる。
【手続補正２２】
【補正対象書類名】明細書
【補正対象項目名】００４６
【補正方法】変更
【補正の内容】
【００４６】
本発明の鍵装置によれば、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。また、第１特徴情報の送信時間を短くすることができ、鍵錠システムの操作性（レスポンス性）および利便性を高めることができると共に、第１特徴情報の送信に必要な電力を小さくすることができる。
【手続補正２３】
【補正対象書類名】明細書
【補正対象項目名】００４７
【補正方法】変更
【補正の内容】
【００４７】
本発明の錠装置によれば、これを本発明の鍵装置と共に用いることにより、上述した本発明の鍵錠システムと同様の効果を得ることができる。
【手続補正２４】
【補正対象書類名】明細書
【補正対象項目名】００４８
【補正方法】変更
【補正の内容】
【００４８】
本発明の制御装置によれば、これを、本発明の鍵装置および管理装置と共に用いることにより、上述した本発明の鍵錠システムと同様の効果を得ることができる。特に、錠装置を制御装置と管理装置とに分割することにより、制御装置を小型の基板上に、あるいは１個の集積回路素子として実現することができる。したがって、様々な扉、様々な錠、または様々な被制御装置に制御装置を簡単に装着し、あるいは組み込むことができ、鍵錠システムにより制御可能な被制御装置の範囲を広げることができ、鍵錠システムの汎用性を高めることができる。また、錠装置を制御装置と管理装置とに分割することにより、１個の鍵装置を複数人で共同使用する場合、または複数の鍵装置を複数人でそれぞれ使用する場合でも、鍵錠システムの高い汎用性を維持することができる。また、制御装置を小型化することができるので、１つの管理装置に対し複数の制御装置を設け、これら複数の制御装置により複数の被制御装置をそれぞれ制御するといった鍵錠システムを容易にかつ低いコストで実現することができる。
【手続補正２５】
【補正対象書類名】明細書
【補正対象項目名】００４９
【補正方法】変更
【補正の内容】
【００４９】
本発明の特定動作制御方法によれば、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。また、第１特徴情報の送信時間を短くすることができ、第１特徴情報の送信に必要な電力を小さくすることができる。
【手続補正２６】
【補正対象書類名】明細書
【補正対象項目名】０１４６
【補正方法】変更
【補正の内容】
【０１４６】
また、図１１中のステップＳ３４が人体情報取得工程の具体例であり、ステップＳ３５が特徴情報生成工程の具体例であり、ステップＳ３７が特徴情報送信工程の具体例であり、ステップＳ３８が特徴情報受信工程の具体例であり、ステップＳ４０が特徴情報転送工程の具体例であり、ステップＳ４２が照合工程の具体例であり、ステップＳ４３が制御指令転送工程の具体例であり、ステップＳ４７が制御信号出力工程の具体例である。
【手続補正書】
【提出日】平成20年4月10日(2008.4.10)
【手続補正１】
【補正対象書類名】特許請求の範囲
【補正対象項目名】請求項１
【補正方法】変更
【補正の内容】
【請求項１】
鍵装置および錠装置を備えた鍵錠システムであって、
前記鍵装置は、
指紋を示す画像情報のビットマップデータであり、指紋の特徴要素を含む指紋情報を前記人体から取得する指紋情報取得手段と、
前記指紋情報取得手段により取得された指紋情報から前記指紋の特徴要素を抽出し、前記抽出した指紋の特徴要素を示しかつ前記指紋情報のサイズの１００分の１以下のサイズを有する第１特徴情報を生成する特徴情報生成手段と、
前記特徴情報生成手段により生成された第１特徴情報を無線通信方式により送信する特徴情報送信手段とを備え、
前記錠装置は、
指紋の特徴要素を示す第２特徴情報を記憶する特徴情報記憶手段と、
前記特徴情報送信手段により送信された第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えていることを特徴とする鍵錠システム。
【手続補正２】
【補正対象書類名】特許請求の範囲
【補正対象項目名】請求項２
【補正方法】変更
【補正の内容】
【請求項２】
鍵装置および錠装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示す第１特徴情報を生成する特徴情報生成手段と、
前記特徴情報生成手段により生成された第１特徴情報を無線通信方式により送信する特徴情報送信手段と、
当該鍵装置を識別するための第１識別情報を無線通信方式により送信する識別情報送信手段とを備え、
前記錠装置は、
人体の特徴要素を示す第２特徴情報を記憶する特徴情報記憶手段と、
前記特徴情報送信手段により送信された第１特徴情報を受信する特徴情報受信手段と、
前記特徴情報受信手段により受信された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段と、
前記鍵装置を識別するための第２識別情報を記憶する識別情報記憶手段と、
前記識別情報送信手段により送信された第１識別情報を受信する識別情報受信手段と、
前記識別情報受信手段により受信された第１識別情報と前記識別情報記憶手段により予め記憶された第２識別情報とが一致するか否かを判断する識別情報判断手段と、
前記識別情報判断手段による判断の結果、前記第１識別情報と前記第２識別情報とが一致しない場合には、前記特徴情報送信手段による前記第１特徴情報の送信が行われないようにする拒絶制御手段とを備えていることを特徴とする鍵錠システム。
【手続補正３】
【補正対象書類名】特許請求の範囲
【補正対象項目名】請求項５
【補正方法】変更
【補正の内容】
【請求項５】
鍵装置、制御装置および管理装置を備えた鍵錠システムであって、
前記鍵装置は、
人体の特徴要素を含む人体情報を前記人体から取得する人体情報取得手段と、
前記人体情報取得手段により取得された人体情報から前記人体の特徴要素を抽出し、前記抽出した人体の特徴要素を示す第１特徴情報を生成する特徴情報生成手段と、
前記特徴情報生成手段により生成された第１特徴情報を無線通信方式により送信する特徴情報送信手段とを備え、
前記制御装置は、
前記鍵装置の特徴情報送信手段により送信された第１特徴情報を受信する特徴情報受信手段と、
前記特徴情報受信手段により受信された第１特徴情報を前記管理装置に転送する特徴情報転送手段と、
前記管理装置から転送された制御指令に基づいて、被制御装置に特定動作を行わせるための制御信号を前記被制御装置に出力する制御信号出力手段とを備え、
前記管理装置は、
人体の特徴要素を示す第２特徴情報を記憶する特徴情報記憶手段と、
前記制御装置の特徴情報転送手段により転送された第１特徴情報と、前記特徴情報記憶手段に予め記憶された第２特徴情報とを照合する照合手段と、
前記照合手段による照合の結果、前記第１特徴情報と前記第２特徴情報とが所定の同一性基準を満たす場合に、前記被制御装置に前記特定動作を行わせるための前記制御指令を前記制御装置に転送する制御指令転送手段とを備えていることを特徴とする鍵錠システム。
【手続補正４】
【補正対象書類名】特許請求の範囲
【補正対象項目名】請求項８
【補正方法】変更
【補正の内容】
【請求項８】
指紋の特徴要素を示す特徴情報を錠装置に送信することにより、前記錠装置の制御対象である被制御装置の動作を制御する鍵装置であって、
指紋を示す画像情報のビットマップデータであり、指紋の特徴要素を含む指紋情報を前記人体から取得する指紋情報取得手段と、
前記指紋情報取得手段により取得された指紋情報から前記指紋の特徴要素を抽出し、前記抽出した指紋の特徴要素を示しかつ前記指紋情報のサイズの１００分の１以下のサイズを有する特徴情報を生成する特徴情報生成手段と、
前記特徴情報生成手段により生成された特徴情報を無線通信方式により送信する特徴情報送信手段とを備えていることを特徴とする鍵装置。
【手続補正５】
【補正対象書類名】特許請求の範囲
【補正対象項目名】請求項１０
【補正方法】変更
【補正の内容】
【請求項１０】
（１）人体の特徴要素を含む人体情報を前記人体から取得する人体情報取得手段と、前記人体情報取得手段により取得された人体情報から前記人体の特徴要素を抽出し、前記抽出した人体の特徴要素を示す第１特徴情報を生成する特徴情報生成手段と、前記特徴情報生成手段により生成された第１特徴情報を無線通信方式により送信する特徴情報送信手段とを備えた鍵装置と、（２）人体の特徴要素を示す第２特徴情報を記憶する特徴情報記憶手段と、前記特徴情報記憶手段に予め記憶された第２特徴情報と前記第１特徴情報とを照合する照合手段と、前記照合手段による照合の結果、前記第１特徴情報と前記第２特徴情報とが所定の同一性基準を満たす場合に、被制御装置に特定動作を行わせるための制御指令を転送する制御指令転送手段とを備えた管理装置と共に、前記被制御装置の前記特定動作を制御する制御装置であって、
前記鍵装置の特徴情報送信手段により送信された第１特徴情報を受信する特徴情報受信手段と、
前記特徴情報受信手段により受信された第１特徴情報を前記管理装置に転送する特徴情報転送手段と、
前記管理装置の制御指令転送手段により転送された制御指令に基づいて、前記被制御装置に前記特定動作を行わせるための制御信号を前記被制御装置に出力する制御信号出力手段とを備えていることを特徴とする制御装置。
【手続補正６】
【補正対象書類名】特許請求の範囲
【補正対象項目名】請求項１１
【補正方法】変更
【補正の内容】
【請求項１１】
鍵装置、制御装置および管理装置を用いて被制御装置の特定動作を制御する特定動作制御方法であって、
人体の特徴要素を含む人体情報を前記鍵装置により前記人体から取得する人体情報取得工程と、
前記人体情報取得工程において取得された人体情報から前記人体の特徴要素を前記鍵装置により抽出し、前記抽出した人体の特徴要素を示す第１特徴情報を前記鍵装置により生成する特徴情報生成工程と、
前記特徴情報生成工程において生成された第１特徴情報を前記鍵装置から前記制御装置に無線通信方式により送信する特徴情報送信工程と、
前記特徴情報送信工程において送信された第１特徴情報を前記制御装置により受信する特徴情報受信工程と、
前記特徴情報受信工程において受信された第１特徴情報を前記制御装置から前記管理装置に転送する特徴情報転送工程と、
前記管理装置の記憶手段に予め記憶され、人体の特徴要素を示す第２特徴情報と、前記特徴情報転送工程において転送された第１特徴情報とを前記管理装置において照合する照合工程と、
前記照合工程における照合の結果、前記第１特徴情報と前記第２特徴情報とが所定の同一性基準を満たす場合に、前記被制御装置に前記特定動作を行わせるための制御指令を前記管理装置から前記制御装置に転送する制御指令転送工程と、
前記制御指令転送工程において転送された制御指令に基づいて、前記被制御装置に前記特定動作を行わせるための制御信号を前記制御装置から前記被制御装置に出力する制御信号出力工程とを備えていることを特徴とする特定動作制御方法。
【手続補正７】
【補正対象書類名】明細書
【補正対象項目名】００２３
【補正方法】変更
【補正の内容】
【００２３】
上記課題を解決するために、第１の発明は、鍵装置および錠装置を備えた鍵錠システムであって、前記鍵装置は、指紋を示す画像情報のビットマップデータであり、指紋の特徴要素を含む指紋情報を前記人体から取得する指紋情報取得手段と、前記指紋情報取得手段により取得された指紋情報から前記指紋の特徴要素を抽出し、前記抽出した指紋の特徴要素を示しかつ前記指紋情報のサイズの１００分の１以下のサイズを有する第１特徴情報を生成する特徴情報生成手段と、前記特徴情報生成手段により生成された第１特徴情報を無線通信方式により送信する特徴情報送信手段とを備え、前記錠装置は、指紋の特徴要素を示す第２特徴情報を記憶する特徴情報記憶手段と、前記特徴情報送信手段により送信された第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段とを備えている。
【手続補正８】
【補正対象書類名】明細書
【補正対象項目名】００２４
【補正方法】変更
【補正の内容】
【００２４】
また、前記特徴情報生成手段は、前記指紋情報取得手段により取得された指紋情報から前記指紋の特徴要素として前記指紋の特徴点を抽出し、前記抽出した指紋の特徴点を示しかつ前記指紋情報のサイズの１００分の１以下のサイズを有する第１特徴情報を生成し、前記特徴情報記憶手段は、指紋の特徴点を示す第２特徴情報を記憶することが望ましい。
【手続補正９】
【補正対象書類名】明細書
【補正対象項目名】００２５
【補正方法】変更
【補正の内容】
【００２５】
上記課題を解決するために、第２の発明は、鍵装置および錠装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示す第１特徴情報を生成する特徴情報生成手段と、前記特徴情報生成手段により生成された第１特徴情報を無線通信方式により送信する特徴情報送信手段と、当該鍵装置を識別するための第１識別情報を無線通信方式により送信する識別情報送信手段とを備え、前記錠装置は、人体の特徴要素を示す第２特徴情報を記憶する特徴情報記憶手段と、前記特徴情報送信手段により送信された第１特徴情報を受信する特徴情報受信手段と、前記特徴情報受信手段により受信された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合には、被制御装置に特定動作を行わせるための制御信号を前記被制御装置に出力する制御信号出力手段と、前記鍵装置を識別するための第２識別情報を記憶する識別情報記憶手段と、前記識別情報送信手段により送信された第１識別情報を受信する識別情報受信手段と、前記識別情報受信手段により受信された第１識別情報と前記識別情報記憶手段により予め記憶された第２識別情報とが一致するか否かを判断する識別情報判断手段と、前記識別情報判断手段による判断の結果、前記第１識別情報と前記第２識別情報とが一致しない場合には、前記特徴情報送信手段による前記第１特徴情報の送信が行われないようにする拒絶制御手段とを備えている。
【手続補正１０】
【補正対象書類名】明細書
【補正対象項目名】００２８
【補正方法】変更
【補正の内容】
【００２８】
上記課題を解決するために、第３の発明は、鍵装置、制御装置および管理装置を備えた鍵錠システムであって、前記鍵装置は、人体の特徴要素を含む人体情報を前記人体から取得する人体情報取得手段と、前記人体情報取得手段により取得された人体情報から前記人体の特徴要素を抽出し、前記抽出した人体の特徴要素を示す第１特徴情報を生成する特徴情報生成手段と、前記特徴情報生成手段により生成された第１特徴情報を無線通信方式により送信する特徴情報送信手段とを備え、前記制御装置は、前記鍵装置の特徴情報送信手段により送信された第１特徴情報を受信する特徴情報受信手段と、前記特徴情報受信手段により受信された第１特徴情報を前記管理装置に転送する特徴情報転送手段と、前記管理装置から転送された制御指令に基づいて、被制御装置に特定動作を行わせるための制御信号を前記被制御装置に出力する制御信号出力手段とを備え、前記管理装置は、人体の特徴要素を示す第２特徴情報を記憶する特徴情報記憶手段と、前記制御装置の特徴情報転送手段により転送された第１特徴情報と、前記特徴情報記憶手段に予め記憶された第２特徴情報とを照合する照合手段と、前記照合手段による照合の結果、前記第１特徴情報と前記第２特徴情報とが所定の同一性基準を満たす場合に、前記被制御装置に前記特定動作を行わせるための前記制御指令を前記制御装置に転送する制御指令転送手段とを備えている。
【手続補正１１】
【補正対象書類名】明細書
【補正対象項目名】００３１
【補正方法】変更
【補正の内容】
【００３１】
上記課題を解決するために、第４の発明は、人体の特徴要素を示す特徴情報を錠装置に送信することにより、前記錠装置の制御対象である被制御装置の動作を制御する鍵装置であって、指紋を示す画像情報のビットマップデータであり、指紋の特徴要素を含む指紋情報を前記人体から取得する指紋情報取得手段と、前記指紋情報取得手段により取得された指紋情報から前記指紋の特徴要素を抽出し、前記抽出した指紋の特徴要素を示しかつ前記指紋情報のサイズの１００分の１以下のサイズを有する特徴情報を生成する特徴情報生成手段と、前記特徴情報生成手段により生成された特徴情報を無線通信方式により送信する特徴情報送信手段とを備えている。
【手続補正１２】
【補正対象書類名】明細書
【補正対象項目名】００３３
【補正方法】変更
【補正の内容】
【００３３】
上記課題を解決するために、第６の発明は、（１）人体の特徴要素を含む人体情報を前記人体から取得する人体情報取得手段と、前記人体情報取得手段により取得された人体情報から前記人体の特徴要素を抽出し、前記抽出した人体の特徴要素を示す第１特徴情報を生成する特徴情報生成手段と、前記特徴情報生成手段により生成された第１特徴情報を無線通信方式により送信する特徴情報送信手段とを備えた鍵装置と、（２）人体の特徴要素を示す第２特徴情報を記憶する特徴情報記憶手段と、前記特徴情報記憶手段に予め記憶された第２特徴情報と前記第１特徴情報とを照合する照合手段と、前記照合手段による照合の結果、前記第１特徴情報と前記第２特徴情報とが所定の同一性基準を満たす場合に、被制御装置に特定動作を行わせるための制御指令を転送する制御指令転送手段とを備えた管理装置と共に、前記被制御装置の前記特定動作を制御する制御装置であって、前記鍵装置の特徴情報送信手段により送信された第１特徴情報を受信する特徴情報受信手段と、前記特徴情報受信手段により受信された第１特徴情報を前記管理装置に転送する特徴情報転送手段と、前記管理装置の制御指令転送手段により転送された制御指令に基づいて、前記被制御装置に前記特定動作を行わせるための制御信号を前記被制御装置に出力する制御信号出力手段とを備えている。
【手続補正１３】
【補正対象書類名】明細書
【補正対象項目名】００３４
【補正方法】変更
【補正の内容】
【００３４】
上記課題を解決するために、第７の発明は、鍵装置、制御装置および管理装置を用いて被制御装置の特定動作を制御する特定動作制御方法であって、人体の特徴要素を含む人体情報を前記鍵装置により前記人体から取得する人体情報取得工程と、前記人体情報取得工程において取得された人体情報から前記人体の特徴要素を前記鍵装置により抽出し、前記抽出した人体の特徴要素を示す第１特徴情報を前記鍵装置により生成する特徴情報生成工程と、前記特徴情報生成工程において生成された第１特徴情報を前記鍵装置から前記制御装置に無線通信方式により送信する特徴情報送信工程と、前記特徴情報送信工程において送信された第１特徴情報を前記制御装置により受信する特徴情報受信工程と、前記特徴情報受信工程において受信された第１特徴情報を前記制御装置から前記管理装置に転送する特徴情報転送工程と、前記管理装置の記憶手段に予め記憶され、人体の特徴要素を示す第２特徴情報と、前記特徴情報転送工程において転送された第１特徴情報とを前記管理装置において照合する照合工程と、前記照合工程における照合の結果、前記第１特徴情報と前記第２特徴情報とが所定の同一性基準を満たす場合に、前記被制御装置に前記特定動作を行わせるための制御指令を前記管理装置から前記制御装置に転送する制御指令転送工程と、前記制御指令転送工程において転送された制御指令に基づいて、前記被制御装置に前記特定動作を行わせるための制御信号を前記制御装置から前記被制御装置に出力する制御信号出力工程とを備えている。
【手続補正１４】
【補正対象書類名】明細書
【補正対象項目名】００３５
【補正方法】変更
【補正の内容】
【００３５】
第１ないし第３の発明の鍵錠システムでは、人体（第１の発明では指紋）から人体情報（指紋情報）を取得し、この人体情報（指紋情報）に基づいて、人体（指紋）の特徴要素を示す第１特徴情報を生成し、この第１特徴情報を鍵装置から錠装置へ送信する。そして、第１特徴情報は、錠装置において予め記憶された第２特徴情報と照合される。すなわち、真の利用者により鍵装置が使用される短い期間を除き、鍵装置内には第１特徴情報も第２特徴情報も保存されていない。これにより、たとえ鍵装置が盗まれたとしても、鍵装置からは第１特徴情報も第２特徴情報も読み取ることができない。したがって、扉が不正に解錠されたり、被制御装置が不正に使用されたりするのを防止することができ、セキュリティ性を高めることができる。
【手続補正１５】
【補正対象書類名】明細書
【補正対象項目名】００３６
【補正方法】変更
【補正の内容】
【００３６】
また、第１ないし第３の発明の鍵錠システムでは、第１特徴情報と第２特徴情報の照合を錠装置側で行う。このため、第２特徴情報を錠装置内に保存する。それゆえ、鍵装置を複数人で共同使用する場合には、複数の第２特徴情報を錠装置内に保存すればよい。すなわち、第２特徴情報を鍵装置に保存する必要がないので、たとえ鍵装置を複数人で共同使用する場合でも、鍵装置に大容量の記憶部を設ける必要がない。これにより、鍵装置のサイズを小さくすることができ、消費電力を減らすことができ、鍵装置の製造コストを下げることができる。また、鍵装置を複数人で共同使用することが可能な鍵錠システムを容易にかつ低いコストで実現することができる。
【手続補正１６】
【補正対象書類名】明細書
【補正対象項目名】００３７
【補正方法】変更
【補正の内容】
【００３７】
また、第１の発明の鍵錠システムでは、鍵装置において、人体から取得した指紋情報のサイズよりも小さいサイズを有する第１特徴情報を生成し、この第１特徴情報を錠装置へ送信する。これにより、第１特徴情報の送信時間を短くすることができ、鍵錠システムの操作性（レスポンス性）および利便性を高めることができる。さらに、第１特徴情報の送信に必要な電力を小さくすることができる。
【手続補正１７】
【補正対象書類名】明細書
【補正対象項目名】００３８
【補正方法】変更
【補正の内容】
【００３８】
また、第１の発明の鍵錠システムにおいて、指紋情報が指紋を示す画像情報のビットマップデータである場合には、指紋を示す画像情報のビットマップデータのサイズよりも小さいサイズを有する第１特徴情報を生成する。これにより、第１特徴情報の送信時間を短くすることができ、第１特徴情報の送信に必要な電力を小さくすることができる。
【手続補正１８】
【補正対象書類名】明細書
【補正対象項目名】００３９
【補正方法】変更
【補正の内容】
【００３９】
また、第１の発明の鍵錠システムにおいて、第１特徴情報のサイズを、指紋情報の画像情報のビットマップデータのサイズの１００分の１以下にする。これにより、第１特徴情報の送信時間を短くすることができ、第１特徴情報の送信に必要な電力を小さくすることができる。
【手続補正１９】
【補正対象書類名】明細書
【補正対象項目名】００４０
【補正方法】変更
【補正の内容】
【００４０】
また、第２の発明の鍵錠システムにおいて、送信ごとに変化する暗号キーを錠装置から鍵装置に送信し、鍵装置において、この暗号キーを用いて第１特徴情報を暗号化し、この暗号化された第１特徴情報を鍵装置から錠装置に送信する。これにより、鍵錠システムの使用途中に、送信中の第１特徴情報が不正に傍受されても、その後、この傍受した第１特徴情報を用いて鍵錠システムを正常に作動させることはできない。したがって、不正解錠などを防止することができ、鍵錠システムのセキュリティ性を高めることができる。
【手続補正２０】
【補正対象書類名】明細書
【補正対象項目名】００４１
【補正方法】変更
【補正の内容】
【００４１】
また、第２または第３の発明の鍵錠システムにおいて、鍵装置を識別するための第１識別情報を鍵装置から錠装置に送信し、錠装置において、予め記憶された第２識別情報と鍵装置から受信した第１識別情報とが一致しない場合には、扉の解錠や被制御装置の使用を許可しない。これにより、特定の扉の解錠や特定の被制御装置の動作制御を行うことができる鍵装置と錠装置との組み合わせを制限することがきる。例えば、複数の鍵装置Ｋ１、Ｋ２、Ｋ３と、１つの錠装置Ｌがある場合には、鍵装置Ｋ１と錠装置Ｌの組み合わせに限り、特定の扉の解錠を許可し、他の組み合わせでは、この特定の扉の解錠を拒絶することができる。したがって、鍵錠システムを用いて扉の解錠や被制御装置の使用をきめ細かく管理することができると共に、セキュリティ性を高めることができる。
【手続補正２１】
【補正対象書類名】明細書
【補正対象項目名】００４２
【補正方法】変更
【補正の内容】
【００４２】
また、第３の発明の鍵錠システムにおいて、錠装置を制御装置と管理装置とに分割し、第２特徴情報の保存および第１特徴情報と第２特徴情報との照合を、さらには第２識別情報の保存および第１識別情報と第２識別情報との照合を、管理装置により行う。一方、人体情報または人体の一部を示す画像情報の取得、および第１特徴情報の生成は、上述した通り鍵装置により行う。この結果、制御装置は、鍵装置から第１特徴情報を受信し、これを管理装置に転送する手段と、鍵装置から第１識別情報を受信し、これを管理装置に転送する手段と、管理装置からの制御指令に従って被制御装置を制御するための制御信号を出力する手段とを備えればよい。そして、制御装置に備えるべきこれらの手段はいずれも小規模な回路で実現することができる。したがって、例えば、制御装置を構成するすべての回路を１個の小さな基板上にまとめて配置することができる。または、制御装置を構成するほぼすべての回路を集積した１個のチップを製造することもできる。これにより、例えば、管理装置を室内の広い空間に設置し、制御装置だけを既存の電気錠に直接取り付けることができる。また、制御装置だけを既存の電気錠内に組み込むこともできる。このように、様々な扉、様々な錠、または様々な被制御装置に制御装置を簡単に設けることができ、鍵錠システムにより制御可能な被制御装置の範囲を広げることができ、鍵錠システムの汎用性を高めることができる。
【手続補正２２】
【補正対象書類名】明細書
【補正対象項目名】００４６
【補正方法】変更
【補正の内容】
【００４６】
第４の発明の鍵装置によれば、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。また、第１特徴情報の送信時間を短くすることができ、鍵錠システムの操作性（レスポンス性）および利便性を高めることができると共に、第１特徴情報の送信に必要な電力を小さくすることができる。
【手続補正２３】
【補正対象書類名】明細書
【補正対象項目名】００４７
【補正方法】変更
【補正の内容】
【００４７】
第５の発明の錠装置によれば、これを第２ないし第４の発明の鍵装置と共に用いることにより、上述した第２の発明の鍵錠システムと同様の効果を得ることができる。
【手続補正２４】
【補正対象書類名】明細書
【補正対象項目名】００４８
【補正方法】変更
【補正の内容】
【００４８】
第６の発明の制御装置によれば、これを、第３の発明の鍵装置および管理装置と共に用いることにより、上述した第３の発明の鍵錠システムと同様の効果を得ることができる。特に、錠装置を制御装置と管理装置とに分割することにより、制御装置を小型の基板上に、あるいは１個の集積回路素子として実現することができる。したがって、様々な扉、様々な錠、または様々な被制御装置に制御装置を簡単に装着し、あるいは組み込むことができ、鍵錠システムにより制御可能な被制御装置の範囲を広げることができ、鍵錠システムの汎用性を高めることができる。また、錠装置を制御装置と管理装置とに分割することにより、１個の鍵装置を複数人で共同使用する場合、または複数の鍵装置を複数人でそれぞれ使用する場合でも、鍵錠システムの高い汎用性を維持することができる。また、制御装置を小型化することができるので、１つの管理装置に対し複数の制御装置を設け、これら複数の制御装置により複数の被制御装置をそれぞれ制御するといった鍵錠システムを容易にかつ低いコストで実現することができる。
【手続補正２５】
【補正対象書類名】明細書
【補正対象項目名】００４９
【補正方法】変更
【補正の内容】
【００４９】
第７の発明の特定動作制御方法によれば、扉が不正に解錠されたり、被制御装置が不正に使用されたりするのを防止することができ、セキュリティ性を高めることができる。また、鍵装置のサイズを小さくすることができ、消費電力を減らすことができ、鍵装置の製造コストを下げることができる。